(57)【要約】  本願の実施例は無線通信方法及び装置を提供し、リソース利用率と伝送信頼性との間の関係のバランスをとることができる。該方法は、ネットワーク装置がＰＤＣＰ  ＰＤＵの伝送方法を確定し、前記伝送方法はデータコピー伝送方法またはシングルリンク伝送方法を含むことと、前記ＰＤＣＰ  ＰＤＵの伝送方法に基づき、前記ネットワーク装置が前記端末装置へ前記ＰＤＣＰ  ＰＤＵを送信することと、を含む。
2020515176.tif 000002
【特許請求の範囲】
【請求項１】
無線通信方法であって、
ネットワーク装置がパケットデータコンバージェンスレイヤプロトコルＰＤＣＰプロトコルデータユニットＰＤＵの伝送方法を確定し、前記伝送方法はデータコピー伝送方法またはシングルリンク伝送方法を含むことと、
前記ＰＤＣＰ  ＰＤＵの伝送方法に基づき、前記ネットワーク装置が前記端末装置へ前記ＰＤＣＰ  ＰＤＵを送信することと、を含むことを特徴とする無線通信方法。
【請求項２】
前記ネットワーク装置がＰＤＣＰ  ＰＤＵの伝送方法を確定することは、
前記ネットワーク装置が前記ネットワーク装置と前記端末装置との間の複数のリンクに対する前記端末装置のフィードバック情報に基づき、前記ＰＤＣＰ  ＰＤＵの伝送方法を確定することを含むことを特徴とする請求項１に記載の方法。
【請求項３】
前記ネットワーク装置がＰＤＣＰ  ＰＤＵの伝送方法を確定することは、
前記ネットワーク装置が前記ネットワーク装置と前記端末装置との間の複数のリンクで伝送されるアップリンクデータに対してチャネル推定を行って、第１推定値を取得すること、及び
前記各リンクの前記第１推定値を使用して、前記ＰＤＣＰ  ＰＤＵの伝送方法を確定することを含むことを特徴とする請求項１に記載の方法。
【請求項４】
前記各リンクの前記第１推定値を使用して、前記ＰＤＣＰ  ＰＤＵの伝送方法を確定する前記ことは、
前記複数のリンクにおいて２つのリンクごとの第１推定値の差は第１所定値以下であり、且つ前記複数のリンクにおける各リンクの第１推定値が第１所定の範囲にある場合に、前記伝送方法はデータコピー伝送方式であると確定すること、または、
前記複数のリンクにおいて少なくとも２つのリンクの第１推定値の差が第１所定値より大きく、または前記複数のリンクにおいて少なくとも１つのリンクの第１推定値が第１所定の範囲にいない場合に、前記伝送方法はシングルリンク伝送方法であると確定することを含むことを特徴とする請求項３に記載の方法。
【請求項５】
前記ネットワーク装置がＰＤＣＰ  ＰＤＵの伝送方法を確定することは、
前記ネットワーク装置が前記ネットワーク装置と前記端末装置との間の複数のリンクが第１時間範囲内で伝送したアップリンクデータに対してチャネル推定を行って、前記第１推定値を取得すること、及び
前記第１時間範囲内で得られた前記第１推定値を利用して、前記伝送方法を確定することを含み、含み、
前記ＰＤＣＰ  ＰＤＵの伝送方法に基づき、前記ネットワーク装置が前記端末装置へ  前記ＰＤＣＰ  ＰＤＵを送信する前記ことは、
前記伝送方法によって、第２時間範囲内で、前記ネットワーク装置が前記端末装置に前記ＰＤＣＰ  ＰＤＵを送信することを含むことを特徴とする請求項３または４に記載の方法。
【請求項６】
前記ネットワーク装置と前記端末装置との間の複数のリンクに対する前記端末装置のフィードバック情報は、
前記端末装置が前記複数のリンクにおける各リンクで、得られたチャネル状態情報、
前記端末装置が前記複数のリンクにおける各リンクで、データ復調を行った結果のフィードバック、
前記端末装置が前記複数のリンクにおける各リンクで無線リソース管理ＲＲＭ測定を行ったＲＲＭ測定結果、
前記端末装置が前記複数のリンクにおける各リンクで伝送した制御シグナリングに対してチャネル推定を行って得られた第２推定値、及び
前記端末装置が前記複数のリンクにおける各リンクで送信したビームを測定して得られたビーム測定結果の中の少なくとも１種を含むことを特徴とする請求項２に記載の方法。
【請求項７】
前記フィードバック情報は前記チャネル状態情報、前記ＲＲＭ測定結果、前記第２推定値及び前記ビーム測定結果を含み、
前記ネットワーク装置が前記ネットワーク装置と前記端末装置との間の複数のリンクに対する前記端末装置のフィードバック情報に基づき、前記ＰＤＣＰ  ＰＤＵの伝送方法を確定することは、
前記複数のリンクにおいて２つのリンクごとのフィードバック情報の取る値の差は第２所定値以下であり且つ前記複数のリンクにおける各リンクのフィードバック情報の取る値は第２所定の範囲にある場合に、前記伝送方法はデータコピー伝送方式であると確定すること、または、
前記複数のリンクにおいて少なくとも２つのリンクのフィードバック情報の取る値の差は第２所定値より大きく、または前記複数のリンクにおいて少なくとも１つのリンクのフィードバック情報の取る値は第２所定の範囲にいない場合に、前記伝送方法はシングルリンク伝送方法であると確定することを含むことを特徴とする請求項６に記載の方法。
【請求項８】
前記ネットワーク装置が前記ネットワーク装置と前記端末装置との間の複数のリンクに対する前記端末装置のフィードバック情報に基づき、前記ＰＤＣＰ  ＰＤＵの伝送方法を確定することは、
第３時間範囲内で受信した前記ネットワーク装置と前記端末装置との間の複数のリンクに対する前記端末装置のフィードバック情報に基づき、前記ＰＤＣＰ  ＰＤＵの伝送方法を確定することを含み、
前記ＰＤＣＰ  ＰＤＵの伝送方法に基づき、前記ネットワーク装置が前記端末装置へ前記ＰＤＣＰ  ＰＤＵを送信することは、
前記伝送方法によって、第４時間範囲内で、前記ネットワーク装置が前記端末装置に前記ＰＤＣＰ  ＰＤＵを送信することを含むことを特徴とする請求項２または７に記載の方法。
【請求項９】
前記ネットワーク装置と前記端末装置との間の複数のリンクに対する前記端末装置のフィードバック情報は前記端末装置が各リンクで、データ復調を行った結果のフィードバックを含み、前記復調結果のフィードバックは確認ＡＣＫメッセージまたは否定確認ＮＡＣＫメッセージを含み、
前記ネットワーク装置が前記ネットワーク装置と前記端末装置との間の複数のリンクに対する前記端末装置のフィードバック情報に基づき、前記ＰＤＣＰ  ＰＤＵの伝送方法を確定することは、
前記第３時間範囲内で、前記各リンクで受信したＡＣＫメッセージの数および／またはＮＡＣＫメッセージの数に基づき、前記ＰＤＣＰ  ＰＤＵの伝送方法を確定することを含むことを特徴とする請求項８に記載の方法。
【請求項１０】
前記第３時間範囲内で、前記各リンクで受信したＡＣＫメッセージの数および／またはＮＡＣＫメッセージの数に基づき、前記ＰＤＣＰ  ＰＤＵの伝送方法を確定する前記ことは、
前記第３時間範囲内で、各リンクで受信したＡＣＫメッセージとＮＡＣＫメッセージの数の比、および／または任意の２つのリンクのＡＣＫメッセージの数とＮＡＣＫメッセージの数の比の差に基づき、前記複数のリンクから、前記ＰＤＣＰ  ＰＤＵの伝送方法を確定することを含むことを特徴とする請求項９に記載の方法。
【請求項１１】
前記ＰＤＣＰ  ＰＤＵの伝送方法を確定する前記ことは、
前記複数のリンクにおいて各リンクのＡＣＫメッセージの数とＮＡＣＫメッセージの数との比は第３所定の範囲にあり、且つ前記複数のリンクにおいて任意の２つのリンクのＡＣＫメッセージの数とＮＡＣＫメッセージの数の比の差は第３所定値以下である場合に、前記ＰＤＣＰ  ＰＤＵの伝送方法はデータコピー伝送方法であると確定することを含むことを特徴とする請求項１０に記載の方法。
【請求項１２】
前記ＰＤＣＰ  ＰＤＵの伝送方法を確定する前記ことは、
前記複数のリンクにおいて第１リンクが存在する場合に、前記ＰＤＣＰ  ＰＤＵの伝送方法はシングルリンク伝送方法であると確定し、前記第１リンクのＡＣＫメッセージの数とＮＡＣＫメッセージの数の比は前記複数のリンクにおけるその他のいずれかのリンクのＡＣＫメッセージの数とＮＡＣＫメッセージの数の比より高く、且つ前記第１リンクのＡＣＫメッセージの数とＮＡＣＫメッセージの数の比と複数のリンクにおけるその他のいずれかのリンクのＡＣＫメッセージの数とＮＡＣＫメッセージの数の比との差は第４所定値以上であることを含むことを特徴とする請求項１０に記載の方法。
【請求項１３】
前記ＰＤＣＰ  ＰＤＵの伝送方法に基づき、前記ネットワーク装置が前記端末装置へ前記ＰＤＣＰ  ＰＤＵを送信することは、
前記第１リンクを使用して、前記ネットワーク装置が前記端末装置に前記ＰＤＣＰ  ＰＤＵを送信することを含むことを特徴とする請求項１２に記載の方法。
【請求項１４】
前記ＰＤＣＰ  ＰＤＵの伝送方法を確定する前記ことは、
前記複数のリンクにおいて各リンクのＡＣＫメッセージの数とＮＡＣＫメッセージの数の比は第５所定値以上であり、且つ前記複数のリンクにおいて任意の２つのリンクのＡＣＫメッセージの数とＮＡＣＫメッセージの数の比の差は第６所定値以下である場合に、前記ＰＤＣＰ  ＰＤＵの伝送方法はシングルリンク伝送方法であると確定することを含むことを特徴とする請求項１０に記載の方法。
【請求項１５】
前記ＰＤＣＰ  ＰＤＵの伝送方法に基づき、前記ネットワーク装置が前記端末装置へ前記ＰＤＣＰ  ＰＤＵを送信する前記ことは、
前記複数のリンクにおける第２リンクを使用して、前記ネットワーク装置が前記端末装置に前記ＰＤＣＰ  ＰＤＵを送信し、前記第２リンクは前記複数のリンクにおけるＡＣＫメッセージの数とＮＡＣＫメッセージの数の比が最も高いリンクであることを含むことを特徴とする請求項１３に記載の方法。
【請求項１６】
前記ＰＤＣＰ  ＰＤＵの伝送方法を確定する前記ことは、
前記複数のリンクにおける各リンクのＡＣＫメッセージの数とＮＡＣＫメッセージの数の比が第７所定値以下である場合に、前記ＰＤＣＰ  ＰＤＵの伝送方法はシングルリンク伝送方法またはデータコピー伝送方法であると確定することを含むことを特徴とする請求項１０に記載の方法。
【請求項１７】
前記ＰＤＣＰ  ＰＤＵの伝送方法に基づき、前記ネットワーク装置が前記端末装置へ前記ＰＤＣＰ  ＰＤＵを送信する前記ことは、
前記ＰＤＣＰ  ＰＤＵの伝送方法に基づき、前記複数のリンクから少なくとも１つのリンクを選択すること、
前記少なくとも１つのリンクに対してリンク適応すること、及び
リンク適応の後の前記少なくとも１つのリンクを使用して、前記ＰＤＣＰ  ＰＤＵを送信することを含むことを特徴とする請求項１６に記載の方法。
【請求項１８】
前記複数のリンクは複数のキャリアーと一対一対応し、前記複数のリンクにおける各リンクは対応したキャリアーによって信号伝送を行うことを特徴とする請求項２〜１７のいずれかに記載の方法。
【請求項１９】
ネットワーク装置であって、処理ユニット及び送受信ユニットを備え、
前記処理ユニットは、パケットデータコンバージェンスレイヤプロトコルＰＤＣＰプロトコルデータユニットＰＤＵの伝送方法を確定することに用いられ、前記伝送方法はデータコピー伝送方法またはシングルリンク伝送方法を含み、
前記送受信ユニットは、前記ＰＤＣＰ  ＰＤＵの伝送方法に基づき、前記端末装置に前記ＰＤＣＰ  ＰＤＵを送信することに用いられることを特徴とするネットワーク装置。
【請求項２０】
前記処理ユニットは更に、
前記ネットワーク装置と前記端末装置との間の複数のリンクに対する前記端末装置のフィードバック情報に基づき、前記ＰＤＣＰ  ＰＤＵの伝送方法を確定することに用いられることを特徴とする請求項１９に記載のネットワーク装置。
【請求項２１】
前記処理ユニットは更に、
前記ネットワーク装置と前記端末装置との間の複数のリンクで伝送されるアップリンクデータに対してチャネル推定を行って、第１推定値を取得すること、及び、
前記各リンクの前記第１推定値を使用して、前記ＰＤＣＰ  ＰＤＵの伝送方法を確定することことに用いられることを特徴とする請求項１９に記載のネットワーク装置。
【請求項２２】
前記処理ユニットは更に、
前記複数のリンクにおいて２つのリンクごとの第１推定値の差は第１所定値以下であり、且つ前記複数のリンクにおいて各リンクの第１推定値は第１所定の範囲にあり、前記伝送方法はデータコピー伝送ネットワーク装置であると確定すること、または、
前記複数のリンクにおいて少なくとも２つのリンクの第１推定値の差が第１所定値より大きく、または前記複数のリンクにおいて少なくとも１つのリンクの第１推定値が第１所定の範囲にいない場合に、前記伝送方法はシングルリンク伝送方法であると確定することに用いられることを特徴とする請求項２１に記載のネットワーク装置。
【請求項２３】
前記処理ユニットは更に、
前記ネットワーク装置と前記端末装置との間の複数のリンクが第１時間範囲内で伝送したアップリンクデータに対してチャネル推定を行って、前記第１推定値を取得すること、
前記第１時間範囲内で得られた前記第１推定値を利用して、前記伝送方法を確定すること、及び
前記伝送方法によって、第２時間範囲内で、前記端末装置に前記ＰＤＣＰ  ＰＤＵを送信することに用いられることを特徴とする請求項２１または２２に記載のネットワーク装置。
【請求項２４】
前記ネットワーク装置と前記端末装置との間の複数のリンクに対する前記端末装置のフィードバック情報は、
前記端末装置が前記複数のリンクにおける各リンクで、得られたチャネル状態情報、
前記端末装置が前記複数のリンクにおける各リンクで、データ復調を行った結果のフィードバック、
前記端末装置が前記複数のリンクにおける各リンクで無線リソース管理ＲＲＭ測定を行ったＲＲＭ測定結果、
前記端末装置が前記複数のリンクにおける各リンクで伝送される制御シグナリングに対してチャネル推定を行なって得られた第２推定値、
前記端末装置が前記複数のリンクにおける各リンクで送信したビームを測定して得られたビーム測定結果の中の少なくとも１種を含むことを特徴とする請求項２０に記載のネットワーク装置。
【請求項２５】
前記フィードバック情報は前記チャネル状態情報、前記ＲＲＭ測定結果、前記第２推定値及び前記ビーム測定結果を含み、
前記処理ユニットは更に、
前記複数のリンクにおいて２つのリンクごとのフィードバック情報の取る値の差は第２所定値以下であり且つ前記複数のリンクにおいて各リンクのフィードバック情報の取る値は第２所定の範囲にあり、前記伝送方法はデータコピー伝送ネットワーク装置であると確定すること、または、
前記複数のリンクにおいて少なくとも２つのリンクのフィードバック情報の取る値の差は第２所定値より大きく、または前記複数のリンクにおいて少なくとも１つのリンクのフィードバック情報の取る値は第２所定の範囲にいない場合に、前記伝送方法はシングルリンク伝送方法であると確定することに用いられることを特徴とする請求項２４に記載のネットワーク装置。
【請求項２６】
前記処理ユニットは更に、
第３時間範囲内で受信した前記ネットワーク装置と前記端末装置との間の複数のリンクに対する前記端末装置のフィードバック情報に基づき、前記ＰＤＣＰ  ＰＤＵの伝送方法を確定すること、及び
前記伝送方法によって、第４時間範囲内で、前記端末装置に前記ＰＤＣＰ  ＰＤＵを送信することに用いられることを特徴とする請求項２０または２５に記載のネットワーク装置。
【請求項２７】
前記ネットワーク装置と前記端末装置との間の複数のリンクに対する前記端末装置のフィードバック情報は前記端末装置が各リンクで、データ復調を行った結果のフィードバックを含み、前記復調結果のフィードバックは確認ＡＣＫメッセージまたは否定確認ＮＡＣＫメッセージを含み、
前記処理ユニットは更に、
前記第３時間範囲内で、前記各リンクで受信したＡＣＫメッセージの数および／またはＮＡＣＫメッセージの数に基づき、前記ＰＤＣＰ  ＰＤＵの伝送方法を確定することに用いられることを特徴とする請求項２６に記載のネットワーク装置。
【請求項２８】
前記処理ユニットは更に、
前記第３時間範囲内で、各リンクで受信したＡＣＫメッセージとＮＡＣＫメッセージの数の比、および／または任意の２つのリンクのＡＣＫメッセージの数とＮＡＣＫメッセージの数の比の差に基づき、前記複数のリンクから、前記ＰＤＣＰ  ＰＤＵの伝送方法を確定することに用いられることを特徴とする請求項２７に記載のネットワーク装置。
【請求項２９】
前記処理ユニットは更に、
前記複数のリンクにおいて各リンクのＡＣＫメッセージの数とＮＡＣＫメッセージの数との比は第３所定の範囲にあり、且つ前記複数のリンクにおいて任意の２つのリンクのＡＣＫメッセージの数とＮＡＣＫメッセージの数の比の差は第３所定値以下である場合に、前記ＰＤＣＰ  ＰＤＵの伝送方法はデータコピー伝送方法であると確定することに用いられることを特徴とする請求項２８に記載のネットワーク装置。
【請求項３０】
前記処理ユニットは更に、
前記複数のリンクにおいて第１リンクが存在する場合に、前記ＰＤＣＰ  ＰＤＵの伝送方法はシングルリンク伝送方法であると確定し、前記第１リンクのＡＣＫメッセージの数とＮＡＣＫメッセージの数の比は前記複数のリンクにおけるその他のいずれかのリンクのＡＣＫメッセージの数とＮＡＣＫメッセージの数の比より高く、且つ前記第１リンクのＡＣＫメッセージの数とＮＡＣＫメッセージの数の比と複数のリンクにおけるその他のいずれかのリンクのＡＣＫメッセージの数とＮＡＣＫメッセージの数の比との差は第４所定値以上であることに用いられることを特徴とする請求項２８に記載のネットワーク装置。
【請求項３１】
前記送受信ユニットは更に、
前記第１リンクを使用して、前記端末装置に前記ＰＤＣＰ  ＰＤＵを送信することに用いられることを特徴とする請求項３０に記載のネットワーク装置。
【請求項３２】
前記処理ユニットは更に、
前記複数のリンクにおいて各リンクのＡＣＫメッセージの数とＮＡＣＫメッセージの数の比は第５所定値以上であり、且つ前記複数のリンクにおいて任意の２つのリンクのＡＣＫメッセージの数とＮＡＣＫメッセージの数の比の差は第６所定値以下である場合に、前記ＰＤＣＰ  ＰＤＵの伝送方法はシングルリンク伝送方法であると確定することに用いられることを特徴とする請求項２８に記載のネットワーク装置。
【請求項３３】
前記送受信ユニットは更に、
前記複数のリンクにおける第２リンクを使用して、前記端末装置に前記ＰＤＣＰ  ＰＤＵを送信することに用いられ、前記第２リンクは前記複数のリンクにおけるＡＣＫメッセージの数とＮＡＣＫメッセージの数の比が最も高いリンクであることを特徴とする請求項３２に記載のネットワーク装置。
【請求項３４】
前記処理ユニットは更に、
前記複数のリンクにおける各リンクのＡＣＫメッセージ数とＮＡＣＫメッセージの数の比は第７所定値以下である場合に、前記ＰＤＣＰ  ＰＤＵの伝送方法はシングルリンク伝送方法またはデータコピー伝送方法であると確定することに用いられることを特徴とする請求項２８に記載のネットワーク装置。
【請求項３５】
前記送受信ユニットは更に、
前記ＰＤＣＰ  ＰＤＵの伝送方法に基づき、前記複数のリンクから少なくとも１つのリンクを選択すること、
前記少なくとも１つのリンクに対してリンク適応すること、及び
リンク適応の後の前記少なくとも１つのリンクを使用して、前記ＰＤＣＰ  ＰＤＵを送信することに用いられることを特徴とする請求項３４に記載のネットワーク装置。
【請求項３６】
前記複数のリンクは複数のキャリアーと一対一対応し、前記複数のリンクにおける各リンクは対応したキャリアーによって信号伝送を行うことを特徴とする請求項２０〜３５のいずれかに記載のネットワーク装置。
【発明の詳細な説明】
【技術分野】
【０００１】
本願は通信分野に関し、且つより具体的に、無線通信方法及び装置に関する。
【背景技術】
【０００２】
キャリアアグリゲーションシナリオで、パケットデータコンバージェンスレイヤプロトコル（Ｐａｃｋｅｔ  Ｄａｔａ  Ｃｏｎｖｅｒｇｅｎｃｅ  Ｐｒｏｔｏｃｏｌ、ＰＤＣＰ）プロトコル層発信元はデータ複製機能をサポートすることができ、即ち１つのＰＤＣＰプロトコルデータユニット（Ｐｒｏｔｏｃｏｌ  Ｄａｔａ  Ｕｎｉｔ、ＰＤＵ）を２通（複数かもしれない）にコピーし、これによってデータ伝送の信頼性を向上させる。従来の技術においてデータコピー伝送方法の直接使用は極めて低いリソース利用率をもたらす。
【発明の概要】
【発明が解決しようとする課題】
【０００３】
本願の実施例は、リソース利用率と伝送信頼性との間の関係のバランスをとることができる無線通信方法及び装置を提供する。
【課題を解決するための手段】
【０００４】
第１態様は、無線通信方法を提供し、
ネットワーク装置がパケットデータコンバージェンスレイヤプロトコルＰＤＣＰプロトコルデータユニットＰＤＵの伝送方法を確定し、前記伝送方法はデータコピー伝送方法またはシングルリンク伝送方法を含むことと、
前記ＰＤＣＰ  ＰＤＵの伝送方法に基づき、前記ネットワーク装置が前記端末装置へ前記ＰＤＣＰ  ＰＤＵを送信することと、を含む。
【０００５】
データの伝送方法を動的切り替えることによって、効果的にリソース利用率とデータ伝送の信頼性とのバランスをとることができる。
【０００６】
具体的に、データ自体の信頼性に対する要件に従って、対応したＰＤＣＰ  ＰＤＵの伝送方法を確定することができ、効果的にそれによりリソース利用率とデータ伝送の信頼性とのバランスをとることができる。
【０００７】
ここで、データコピー伝送方法とは、１つのＰＤＣＰ  ＰＤＵを複数通にコピーし、それぞれ複数のリンクで伝送することを指し、シングルリンク伝送方法とは１つのＰＤＣＰ  ＰＤＵを１つのリンクを使用して１回伝送することを指す。
【０００８】
第１態様を参照して、第１態様の１つの可能な実現方法において、前記ネットワーク装置がＰＤＣＰ  ＰＤＵの伝送方法を確定することは、
前記ネットワーク装置が前記ネットワーク装置と前記端末装置との間の複数のリンクに対する前記端末装置のフィードバック情報に基づき、前記ＰＤＣＰ  ＰＤＵの伝送方法を確定することを含む。
【０００９】
第１態様またはその上記のいずれかの可能な実現方法を参照して、第１態様の１つの可能な実現方法において、前記ネットワーク装置がＰＤＣＰ  ＰＤＵの伝送方法を確定することは、
前記ネットワーク装置が前記ネットワーク装置と前記端末装置との間の複数のリンクで伝送されるアップリンクデータに対してチャネル推定を行って、第１推定値を取得すること、及び
前記各リンクの前記第１推定値を使用して、前記ＰＤＣＰ  ＰＤＵの伝送方法を確定することを含む。
【００１０】
第１態様またはその上記のいずれかの可能な実現方法を参照して、第１態様の１つの可能な実現方法において、前記各リンクの前記第１推定値を使用して、前記ＰＤＣＰ  ＰＤＵの伝送方法を確定する前記ことは、
前記複数のリンクにおいて２つのリンクごとの第１推定値の差は第１所定値以下であり、且つ前記複数のリンクにおける各リンクの第１推定値が第１所定の範囲にある場合に、前記伝送方法はデータコピー伝送方式であると確定すること、または、
前記複数のリンクにおいて少なくとも２つのリンクの第１推定値の差が第１所定値より大きく、または前記複数のリンクにおいて少なくとも１つのリンクの第１推定値が第１所定の範囲にいない場合に、前記伝送方法はシングルリンク伝送方法であると確定することを含む。
【００１１】
第１態様またはその上記のいずれかの可能な実現方法を参照して、第１態様の１つの可能な実現方法において、前記ネットワーク装置がＰＤＣＰ  ＰＤＵの伝送方法を確定することは、
前記ネットワーク装置が前記ネットワーク装置と前記端末装置との間の複数のリンクが第１時間範囲内で伝送したアップリンクデータに対してチャネル推定を行って、前記第１推定値を取得すること、及び
前記第１時間範囲内で得られた前記第１推定値を利用して、前記伝送方法を確定することを含み、含み、
前記ＰＤＣＰ  ＰＤＵの伝送方法に基づき、前記ネットワーク装置が前記端末装置へ前記ＰＤＣＰ  ＰＤＵを送信する前記ことは、
前記伝送方法によって、第２時間範囲内で、前記ネットワーク装置が前記端末装置に前記ＰＤＣＰ  ＰＤＵを送信することを含む。
【００１２】
第１態様またはその上記のいずれかの可能な実現方法を参照して、第１態様の１つの可能な実現方法において、前記ネットワーク装置と前記端末装置との間の複数のリンクに対する前記端末装置のフィードバック情報は、
前記端末装置が前記複数のリンクにおける各リンクで、得られたチャネル状態情報、
前記端末装置が前記複数のリンクにおける各リンクで、データ復調を行った結果のフィードバック、
前記端末装置が前記複数のリンクにおける各リンクで無線リソース管理ＲＲＭ測定を行ったＲＲＭ測定結果、
前記端末装置が前記複数のリンクにおける各リンクで伝送した制御シグナリングに対してチャネル推定を行って得られた第２推定値、及び
前記端末装置が前記複数のリンクにおける各リンクで送信したビームを測定して得られたビーム測定結果の中の少なくとも１種を含む。
【００１３】
第１態様またはその上記のいずれかの可能な実現方法を参照して、第１態様の１つの可能な実現方法において、前記フィードバック情報は前記チャネル状態情報、前記ＲＲＭ測定結果、前記第２推定値及び前記ビーム測定結果を含み、
前記ネットワーク装置が前記ネットワーク装置と前記端末装置との間の複数のリンクに対する前記端末装置のフィードバック情報に基づき、前記ＰＤＣＰ  ＰＤＵの伝送方法を確定することは、
前記複数のリンクにおいて２つのリンクごとのフィードバック情報の取る値の差は第２所定値以下であり、且つ前記複数のリンクにおける各リンクのフィードバック情報の取る値は第２所定の範囲にある場合に、前記伝送方法はデータコピー伝送方式であると確定すること、または、
前記複数のリンクにおいて少なくとも２つのリンクのフィードバック情報の取る値の差は第２所定値より大きく、または前記複数のリンクにおいて少なくとも１つのリンクのフィードバック情報の取る値は第２所定の範囲にいない場合に、前記伝送方法はシングルリンク伝送方法であると確定することを含む。
【００１４】
第１態様またはその上記のいずれかの可能な実現方法を参照して、第１態様の１つの可能な実現方法において、前記ネットワーク装置が前記ネットワーク装置と前記端末装置との間の複数のリンクに対する前記端末装置のフィードバック情報に基づき、前記ＰＤＣＰ  ＰＤＵの伝送方法を確定することは、
第３時間範囲内で受信した前記ネットワーク装置と前記端末装置との間の複数のリンクに対する前記端末装置のフィードバック情報に基づき、前記ＰＤＣＰ  ＰＤＵの伝送方法を確定することを含み、
前記ＰＤＣＰ  ＰＤＵの伝送方法に基づき、前記ネットワーク装置が前記端末装置へ前記ＰＤＣＰ  ＰＤＵを送信する前記ことは、
前記伝送方法によって、第４時間範囲内で、前記ネットワーク装置が前記端末装置に前記ＰＤＣＰ  ＰＤＵを送信することを含む。
【００１５】
第１態様またはその上記のいずれかの可能な実現方法を参照して、第１態様の１つの可能な実現方法において、前記ネットワーク装置と前記端末装置との間の複数のリンクに対する前記端末装置のフィードバック情報は前記端末装置が各リンクで、データ復調を行った結果のフィードバックを含み、前記復調結果のフィードバックは確認ＡＣＫメッセージまたは否定確認ＮＡＣＫメッセージを含み、
前記ネットワーク装置が前記ネットワーク装置と前記端末装置との間の複数のリンクに対する前記端末装置のフィードバック情報に基づき、前記ＰＤＣＰ  ＰＤＵの伝送方法を確定することは、
前記第３時間範囲内で、前記各リンクで受信したＡＣＫメッセージの数および／またはＮＡＣＫメッセージの数に基づき、前記ＰＤＣＰ  ＰＤＵの伝送方法を確定することを含む。
【００１６】
第１態様またはその上記のいずれかの可能な実現方法を参照して、第１態様の１つの可能な実現方法において、前記第３時間範囲内で、前記各リンクで受信したＡＣＫメッセージの数および／またはＮＡＣＫメッセージの数に基づき、前記ＰＤＣＰ  ＰＤＵの伝送方法を確定する前記ことは、
前記第３時間範囲内で、各リンクで受信したＡＣＫメッセージとＮＡＣＫメッセージの数の比、および／または任意の２つのリンクのＡＣＫメッセージの数とＮＡＣＫメッセージの数の比の差に基づき、前記複数のリンクから、前記ＰＤＣＰ  ＰＤＵの伝送方法を確定することを含む。
【００１７】
第１態様またはその上記のいずれかの可能な実現方法を参照して、第１態様の１つの可能な実現方法において、前記ＰＤＣＰ  ＰＤＵの伝送方法を確定する前記ことは、
前記複数のリンクにおいて各リンクのＡＣＫメッセージの数とＮＡＣＫメッセージの数との比は第３所定の範囲にあり、且つ前記複数のリンクにおいて任意の２つのリンクのＡＣＫメッセージの数とＮＡＣＫメッセージの数の比の差は第３所定値以下である場合に、前記ＰＤＣＰ  ＰＤＵの伝送方法はデータコピー伝送方法であると確定することを含む。
【００１８】
第１態様またはその上記のいずれかの可能な実現方法を参照して、第１態様の１つの可能な実現方法において、前記ＰＤＣＰ  ＰＤＵの伝送方法を確定する前記ことは、
前記複数のリンクにおいて第１リンクが存在する場合に、前記ＰＤＣＰ  ＰＤＵの伝送方法はシングルリンク伝送方法であると確定し、前記第１リンクのＡＣＫメッセージの数とＮＡＣＫメッセージの数の比は前記複数のリンクにおけるその他のいずれかのリンクのＡＣＫメッセージの数とＮＡＣＫメッセージの数の比より高く、且つ前記第１リンクのＡＣＫメッセージの数とＮＡＣＫメッセージの数の比と複数のリンクにおけるその他のいずれかのリンクのＡＣＫメッセージの数とＮＡＣＫメッセージの数の比との差は第４所定値以上であることを含む。
【００１９】
第１態様またはその上記のいずれかの可能な実現方法を参照して、第１態様の１つの可能な実現方法において、前記ＰＤＣＰ  ＰＤＵの伝送方法に基づき、前記ネットワーク装置が前記端末装置へ前記ＰＤＣＰ  ＰＤＵを送信することは、
前記第１リンクを使用して、前記ネットワーク装置が前記端末装置に前記ＰＤＣＰ  ＰＤＵを送信することを含む。
【００２０】
第１態様またはその上記のいずれかの可能な実現方法を参照して、第１態様の１つの可能な実現方法において、前記ＰＤＣＰ  ＰＤＵの伝送方法を確定する前記ことは、
前記複数のリンクにおいて各リンクのＡＣＫメッセージの数とＮＡＣＫメッセージの数の比は第５所定値以上であり、且つ前記複数のリンクにおいて任意の２つのリンクのＡＣＫメッセージの数とＮＡＣＫメッセージの数の比の差は第６所定値以下である場合に、前記ＰＤＣＰ  ＰＤＵの伝送方法はシングルリンク伝送方法であると確定することを含む。
【００２１】
第１態様またはその上記のいずれかの可能な実現方法を参照して、第１態様の１つの可能な実現方法において、前記ＰＤＣＰ  ＰＤＵの伝送方法に基づき、前記ネットワーク装置が前記端末装置へ前記ＰＤＣＰ  ＰＤＵを送信する前記ことは、
前記複数のリンクにおける第２リンクを使用して、前記ネットワーク装置が前記端末装置に前記ＰＤＣＰ  ＰＤＵを送信し、前記第２リンクは前記複数のリンクにおけるＡＣＫメッセージの数とＮＡＣＫメッセージの数の比が最も高いリンクであることを含む。
【００２２】
第１態様またはその上記のいずれかの可能な実現方法を参照して、第１態様の１つの可能な実現方法において、前記ＰＤＣＰ  ＰＤＵの伝送方法を確定する前記ことは、
前記複数のリンクにおける各リンクのＡＣＫメッセージの数とＮＡＣＫメッセージの数の比が第７所定値以下である場合に、前記ＰＤＣＰ  ＰＤＵの伝送方法はシングルリンク伝送方法またはデータコピー伝送方法であると確定することを含む。
【００２３】
第１態様またはその上記のいずれかの可能な実現方法を参照して、第１態様の１つの可能な実現方法において、前記ＰＤＣＰ  ＰＤＵの伝送方法に基づき、前記ネットワーク装置が前記端末装置へ前記ＰＤＣＰ  ＰＤＵを送信する前記ことは、
前記ＰＤＣＰ  ＰＤＵの伝送方法に基づき、前記複数のリンクから少なくとも１つのリンクを選択すること、
前記少なくとも１つのリンクに対してリンク適応すること、及び
リンク適応の後の前記少なくとも１つのリンクを使用して、前記ＰＤＣＰ  ＰＤＵを送信することを含む。
【００２４】
第１態様またはその上記のいずれかの可能な実現方法を参照して、第１態様の１つの可能な実現方法において、前記複数のリンクは複数のキャリアーと一対一対応し、前記複数のリンクにおける各リンクは対応したキャリアーによって信号伝送を行う。
【００２５】
第２態様は、ネットワーク装置を提供し、該ネットワーク装置は上記の第１態様またはそのいずれかの可能な実現方法の中の方法を実現すためのユニットを備えてよい。
【００２６】
第３態様は、ネットワーク装置を提供し、該ネットワーク装置はメモリ及びプロセッサーを備えてよく、該メモリは命令を記憶し、該メモリはメモリに記憶された命令を呼び出して第１態様またはそのいずれかの選択可能な実現方法の中の方法を実行することに用いられる。
【００２７】
第４態様は、コンピュータ可読媒体を提供し、前記コンピュータ可読媒体は端末装置が実行するためのプログラムコードを記憶し、前記プログラムコードは第１態様またはその様々な実現方法の中の方法を実行するための命令を含む。
【図面の簡単な説明】
【００２８】
本願の実施例の技術的解決手段をより明確的に説明するために、以下、実施例または従来の技術に使用する必要がある図面を簡単に説明し、明らかで、以下で説明する図面はただ本願の一部の実施例だけであり、当業者にとって、創造的な作業なしに更にこれらの図面に基づいてその他の図面を取得することができる。
【図１】本願の実施例による無線通信システムを示す模式図である。
【図２】キャリアアグリゲーションシナリオでのデータコピー伝送を示すプロトコルアーキテクチャ図である。
【図３】本願の実施例による無線通信方法を示す模式的なフローチャートである。
【図４】本願の実施例によるネットワーク装置を示す模式的なブロック図である。
【図５】本願の実施例によるシステムチップを示す模式的なブロック図である。
【図６】本願の実施例によるネットワーク装置を示す模式的なブロック図である。
【発明を実施するための形態】
【００２９】
以下、本願の実施例における図面を参照して、本願の実施例における技術的解決手段を説明し、無論、説明された実施例は全部の実施例ではなく、本願の一部の実施例だけである。本願における実施例に基づいて、当業者は創造的な労働なしに得られたすべての他の実施例は、いずれも本願が保護する範囲に属する。
【００３０】
本願の実施例の技術的解決手段は様々な通信システム、例えばグローバルモバイル通信（Ｇｌｏｂａｌ  Ｓｙｓｔｅｍ  ｏｆ  Ｍｏｂｉｌｅ  ｃｏｍｍｕｎｉｃａｔｉｏｎ、「ＧＳＭ」と略称）システム、符号分割多元接続（Ｃｏｄｅ  Ｄｉｖｉｓｉｏｎ  Ｍｕｌｔｉｐｌｅ  Ａｃｃｅｓｓ、「ＣＤＭＡ」と略称）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、「ＷＣＤＭＡ」と略称）システム、一般パケット無線サービス（Ｇｅｎｅｒａｌ  Ｐａｃｋｅｔ  Ｒａｄｉｏ  Ｓｅｒｖｉｃｅ、「ＧＰＲＳ」と略称）、ロングタームエボリューション（Ｌｏｎｇ  Ｔｅｒｍ  Ｅｖｏｌｕｔｉｏｎ、「ＬＴＥ」と略称）システム、ＬＴＥ周波数分割デュプレックス（Ｆｒｅｑｕｅｎｃｙ  Ｄｉｖｉｓｉｏｎ  Ｄｕｐｌｅｘ、「ＦＤＤ」と略称）システム、ＬＴＥ時分割デュプレックス（Ｔｉｍｅ  Ｄｉｖｉｓｉｏｎ  Ｄｕｐｌｅｘ、「ＴＤＤ」と略称）、ユニバーサル移動通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ、「ＵＭＴＳ」と略称）、グローバル相互接続マイクロ波アクセス（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ、「ＷｉＭＡＸ」と略称）通信システムまたは将来の５Ｇシステム等に応用できる。
【００３１】
図１は本願の実施例が使用する無線通信システム１００を示した。該無線通信システム１００はネットワーク装置１１０を備えてよい。ネットワーク装置１００は端末装置と通信する装置であってよい。ネットワーク装置１００は特別な地理的エリアのために通信カバレッジを提供することができ、且つ該カバレッジ領域内に位置する端末装置（例えばＵＥ）と通信することができる。選択可能に、該ネットワーク装置１００はＧＳＭシステム又はＣＤＭＡシステムにおけるベーストランシーバステーション（Ｂａｓｅ  Ｔｒａｎｓｃｅｉｖｅｒ  Ｓｔａｔｉｏｎ、ＢＴＳ）であってもよいし、ＷＣＤＭＡシステムにおけるノードＢ（ＮｏｄｅＢ、ＮＢ）であってもよいし、ＬＴＥシステムにおける進化ノードＢ（Ｅｖｏｌｕｔｉｏｎａｌ  Ｎｏｄｅ  Ｂ、ｅＮＢ又はｅＮｏｄｅＢ）、或いはクラウド無線アクセスネットワーク  （Ｃｌｏｕｄ  Ｒａｄｉｏ  Ａｃｃｅｓｓ  Ｎｅｔｗｏｒｋ、ＣＲＡＮ）におけるワイヤレスコントローラーであってもよく、或いは該ネットワーク装置は中継局、アクセスポイント、車載装置、ウェアラブル装置、将来５Ｇネットワークにおけるネットワーク側装置或いは将来の進化公衆陸上モバイルネットワーク（Ｐｕｂｌｉｃ  Ｌａｎｄ  Ｍｏｂｉｌｅ  Ｎｅｔｗｏｒｋ、ＰＬＭＮ）におけるネットワーク装置等であってよい。
【００３２】
該無線通信システム１００はネットワーク装置１１０のカバレッジ範囲内に位置する少なくとも１つの端末装置１２０を更に備える。端末装置１２０は移動式でも固定式でもよい。選択可能に、端末装置１２０はアクセス端末、ユーザ機器（Ｕｓｅｒ  Ｅｑｕｉｐｍｅｎｔ、ＵＥ）、ユーザユニット、ユーザ局、移動ステーション、移動局、遠隔局、遠隔端末、モバイル装置、ユーザ端末、端末、無線通信装置、ユーザエージェントまたはユーザデバイスを指すことができる。アクセス端末はセルラー電話、コードレス電話、セッション開始プロトコル（Ｓｅｓｓｉｏｎ  Ｉｎｉｔｉａｔｉｏｎ  Ｐｒｏｔｏｃｏｌ、ＳＩＰ）電話、無線ローカルループ（Ｗｉｒｅｌｅｓｓ  Ｌｏｃａｌ  Ｌｏｏｐ、ＷＬＬ）局、パーソナルデジタルアシスタント（Ｐｅｒｓｏｎａｌ  Ｄｉｇｉｔａｌ  Ａｓｓｉｓｔａｎｔ、ＰＤＡ）、無線通信機能を有するハンドヘルド装置、コンピューティング装置又は無線モデムに接続された他の処理装置、車載装置、ウェアラブル装置及び将来５Ｇネットワークにおける端末装置或いは将来進化されたＰＬＭＮにおける端末装置等であってよい。
【００３３】
選択可能に、端末装置１２０の間に端末直接アクセス（Ｄｅｖｉｃｅ  ｔｏ  Ｄｅｖｉｃｅ、Ｄ２Ｄ）通信を行うことができる。
【００３４】
選択可能に、５Ｇシステムまたはネットワークは更に新しい無線（Ｎｅｗ  Ｒａｄｉｏ、ＮＲ）システムまたはネットワークと呼ばれることができる。
【００３５】
図１は例示的に１つのネットワーク装置と２つの端末装置を示し、選択可能に、該無線通信システム１００は複数のネットワーク装置を含んでよく且つ各ネットワーク装置のカバレッジ範囲内にその他の数の端末装置を含んでよく、本願の実施例はこれを制限しない。
【００３６】
選択可能に、該無線通信システム１００はネットワークコントローラー、モビリティ管理エンティティ等の他のネットワークエンティティを備えてもよく、本願の実施例はこれを制限しない。
【００３７】
理解すべきなのは、本文における用語「システム」及び「ネットワーク」は本文で交換可能に使用される場合が多い。本文における用語「及び／又は」は、単に関連オブジェクトの関連関係を説明するだけであり、三種の関係が存在してよいことを示し、例えば、Ａ及び／又はＢは、単独にＡが存在し、同時にＡとＢが存在し、単独にＢが存在するという三種の場合を示すことができる。また、本文におけるキャラクター「／」は、一般的に前後関連オブジェクトが「又は」の関係であることを示すことを理解すべきである。
【００３８】
理解の便利のため、以下、図２を組み合わせて如何にコピーデータを異なる物理キャリアーにスケジューリングするかを簡単に紹介する。図２に示すように、ＰＤＣＰレイヤは分割ベアラ複製機能を有し、ＰＤＣＰ  ＳＤＵ１のデータプロセスをコピーしてＰＤＣＰ  ＰＤＵ１とＰＤＣＰ  ＰＤＵ２にカプセル化し、ＰＤＣＰ  ＰＤＵ１とＰＤＣＰ  ＰＤＵ２は同様な内容を有し、即ちベアラしたデータｐａｙｌｏａｄとヘッダｈｅａｄｅｒはいずれも同様である。それぞれＰＤＣＰ  ＰＤＵ１とＰＤＣＰ  ＰＤＵ２を異なる無線リンク制御（Ｒａｄｉｏ  Ｌｉｎｋ  Ｃｏｎｔｒｏｌ、ＲＬＣ）エンティティにマッピングし、ＲＬＣエンティティはＰＤＣＰ  ＰＤＵ１とＰＤＣＰ  ＰＤＵ２を異なる論理チャネル（論理チャネル１と論理チャネル２）に配置し、メディアアクセス制御（Ｍｅｄｉａ  Ａｃｃｅｓｓ  Ｃｏｎｔｒｏｌ、ＭＡＣ）に対して、どちらの論理チャネルが同一のＰＤＣＰ  ＰＤＵのコピーデータを伝送するかを分かった後に、これらのコピーデータを異なるハイブリッド自動再送要求（Ｈｙｂｒｉｄ  Ａｕｔｏｍａｔｉｃ  Ｒｅｐｅａｔ  ｒｅＱｕｅｓｔ、ＨＡＲＱ）エンティティによって異なるキャリアーで伝送し、例えば、論理チャネル１にベアラされたコピーデータをＨＡＲＱエンティティ１によって物理キャリアー１で伝送し、論理チャネル２にベアラされたコピーデータをＨＡＲＱエンティティ２によって物理キャリアー２で伝送する。
【００３９】
ＰＤＣＰレイヤデータコピー伝送はダイバーシチゲインを使用することによってデータ伝送の信頼性を効果的に向上させることができるが、明らかな欠点は、該方法が極めて低いシステムリソース利用率をもたらすことであり、即ち異なるリソースによって同様な内容を伝送する必要がある。
【００４０】
図３は本願の実施例による無線通信方法３００を示す模式的なフローチャートである。該方法３００は選択可能に図１に示すようなシステムに応用できるが、これに制限されない。図２に示すように、該方法２００は以下の内容を含む。
【００４１】
２１０では、ネットワーク装置がＰＤＣＰ  ＰＤＵの伝送方法を確定し、前記伝送方法はデータコピー伝送方法またはシングルリンク伝送方法を含む。
【００４２】
２２０では、前記ＰＤＣＰ  ＰＤＵの伝送方法に基づき、前記ネットワーク装置が前記端末装置へ前記ＰＤＣＰ  ＰＤＵを送信する。
【００４３】
具体的に、ネットワーク装置はＰＤＣＰ  ＰＤＵの伝送方法を柔軟に確定することができ、即ち具体的にデータコピー伝送方法であるか、シングルリンク伝送方法であるかを確定する。ここで、データコピー伝送方法は上記の１つのＰＤＣＰ  ＰＤＵを複数通にコピーし、それぞれ複数のリンク即ち図２におけるＲＬＣレイヤで伝送することを示してよく、シングルリンク伝送方法は１つのＰＤＣＰ  ＰＤＵを１つのリンクによって１回伝送することを指してよく、ネットワーク装置はどちらの伝送方法を確定した後に、確定された伝送方法によって該ＰＤＣＰ  ＰＤＵを伝送することができる。例えば、ネットワーク装置は伝送方法がシングルリンク伝送方法であると確定したと、ネットワーク装置は１つのリンクによって該ＰＤＣＰ  ＰＤＵを伝送し、ネットワーク装置は伝送方法がデータコピー伝送方法であると確定したと、ネットワーク装置は複数のリンクを選択して該ＰＤＣＰ  ＰＤＵのコピーデータを伝送することができる。
【００４４】
このため、本願の実施例によるデータの伝送方法は、リソース利用率とデータ伝送の信頼性とのバランスを取ることに役立つ。
【００４５】
選択可能に、本願の実施例において、ネットワーク装置は前記ネットワーク装置は前記ネットワーク装置と前記端末装置との間の複数のリンクに対する前記端末装置のフィードバック情報に基づき、前記ＰＤＣＰ  ＰＤＵの伝送方法を確定してもよいし、前記ネットワーク装置と前記端末装置との間の複数のリンクで伝送されるアップリンクデータに対してチャネル推定を行って、前記ＰＤＣＰ  ＰＤＵの伝送方法を確定してもよい。
【００４６】
ここの複数のリンクはネットワーク装置と端末装置との間のすべてのリンクに対してもよいし、ネットワーク装置と端末装置との間の一部のリンクに対してもよいことを理解すべきである。
【００４７】
選択可能に、前記複数のリンクは複数のキャリアーと一対一に対応し、前記複数のリンクにおける各リンクは対応したキャリアーによって信号伝送を行う。
【００４８】
選択可能に、本願の実施例に言及された複数のリンクはそれぞれキャリアアグリゲーション場合での複数の物理層キャリアーに一対一対応してもよいし、二重接続のシナリオでの２つの基地局に対応した同じ周波数または異周波物理層キャリアーであってもよい。
【００４９】
本願を容易に理解できるようにするために、以下で、２種の方法を組み合わせて、本願の実施例のＰＤＣＰ  ＰＤＵの伝送方法を詳細的に説明する。
【００５０】
以下で、方法Ａと方法Ｂに分けるが、矛盾がない場合で、方法Ａと方法Ｂの方法を組合せまたは交換使用することができることを理解すべきである。
【００５１】
更に、本願の実施例に言及された所定の範囲または所定値はＰＤＣＰ  ＰＤＵが属するサービスに関してもよく、具体的に、属したサービスの信頼性要件に関連してよく、具体的にＰＤＣＰ  ＰＤＵが属するサービスのサービス品質（Ｑｕａｌｉｔｙ  ｏｆ  Ｓｅｒｖｉｃｅ、ＱｏＳ）レベルに関連してもよいことを理解すべきである。
【００５２】
方法Ａ
前記ネットワーク装置が前記ネットワーク装置と前記端末装置との間の複数のリンクで伝送されるアップリンクデータに対してチャネル推定を行って、第１推定値を取得し、前記各リンクの前記第１推定値を使用して、前記ＰＤＣＰ  ＰＤＵの伝送方法を確定する。
【００５３】
選択可能に、前記複数のリンクにおいて２つのリンクごとの第１推定値の差は第１所定値以下であり、且つ前記複数のリンクにおいて各リンクの第１推定値は第１所定の範囲にあり、前記伝送方法はシングルリンク伝送方式であると確定し、または、前記複数のリンクにおいて少なくとも２つのリンクの第１推定値の差が第１所定値より大きく、または前記複数のリンクにおいて少なくとも１つのリンクの第１推定値が第１所定の範囲にいない場合に、前記伝送方法はシングルリンク伝送方法であると確定する。
【００５４】
選択可能に、前記ネットワーク装置は前記ネットワーク装置と前記端末装置との間の複数のリンクが第１時間範囲内で伝送したアップリンクデータに対してチャネル推定を行って、前記第１推定値を取得し、前記第１時間範囲内で得られた前記第１推定値を利用して、前記伝送方法を確定し、前記伝送方法によって、第２時間範囲内で、前記ネットワーク装置は前記端末装置に前記ＰＤＣＰ  ＰＤＵを送信する。
【００５５】
選択可能に、該方法Ａは時分割デュプレックス（Ｔｉｍｅ  Ｄｉｖｉｓｉｏｎ  Ｄｕｐｌｅｘ、ＴＤＤ）モードに用いられることができる。
【００５６】
方法Ｂ
１つの実現方法において、前記ネットワーク装置は前記ネットワーク装置と前記端末装置との間の複数のリンクに対する前記端末装置のフィードバック情報に基づき、前記ＰＤＣＰ  ＰＤＵの伝送方法を確定する。
【００５７】
選択可能に、前記ネットワーク装置と前記端末装置との間の複数のリンクに対する前記端末装置のフィードバック情報は、
前記端末装置が前記複数のリンクにおける各リンクで、得られたチャネル状態情報、
前記端末装置が前記複数のリンクにおける各リンクで、データ復調を行った結果のフィードバック、具体的に、前記端末装置は前記複数のリンクの各リンクで独立したデータ復調を行い、且つ復調結果を報告し、主にＨＡＲＱ  肯定確認（Ａｃｋｎｏｗｌｅｄｇｅｍｅｎｔ、ＡＣＫ）メッセージと否定確認（Ｎｏｎ−Ａｃｋｎｏｗｌｅｄｇｅｍｅｎｔ  ＮＡＣＫ）メッセージであり、
前記端末装置が前記複数のリンクにおける各リンクで無線リソース管理（Ｒａｄｉｏ  Ｒｅｓｏｕｒｃｅ  Ｍａｎａｇｅｍｅｎｔ、ＲＲＭ）測定を行ったＲＲＭ測定結果、例えば、レイヤ３の移動管理のための基準信号受信パワー（Ｒｅｆｅｒｅｎｃｅ  Ｓｉｇｎａｌ  Ｒｅｃｅｉｖｉｎｇ  Ｐｏｗｅｒ、ＲＳＲＰ）または基準信号受信品質（Ｒｅｆｅｒｅｎｃｅ  Ｓｉｇｎａｌ  Ｒｅｃｅｉｖｉｎｇ  Ｑｕａｌｉｔｙ  ＲＳＲＱ）の測定であり、ここで、高レベルのＲＲＭ測定に対して、端末装置はネットワーク装置の設定情報に基づいて測定することができ、即ちネットワーク装置は端末装置がいつ測定するかを設定し、
前記端末装置が前記複数のリンクにおける各リンクで伝送される制御シグナリングに対してチャネル推定を行って得られた第２推定値、及び
前記端末装置が前記複数のリンクにおける各リンクで送信されるビームを測定して得られたビーム測定結果の中の少なくとも１種を含む。
【００５８】
選択可能に、前記フィードバック情報は前記チャネル状態情報、前記ＲＲＭ測定結果、前記第２推定値及び前記ビーム測定結果を含み、前記複数のリンクにおいて２つのリンクごとのフィードバック情報の取る値の差は第２所定値以下であり、且つ前記複数のリンクにおいて各リンクのフィードバック情報の取る値は第２所定の範囲にあり、前記伝送方法はデータコピー伝送方式であると確定し、または、前記複数のリンクにおいて少なくとも２つのリンクのフィードバック情報の取る値の差は第２所定値より大きく、または前記複数のリンクにおいて少なくとも１つのリンクのフィードバック情報の取る値は第２所定の範囲にいない場合に、前記伝送方法はシングルリンク伝送方法であると確定する。
【００５９】
例えば、前記端末装置は前記複数のリンクでそれぞれチャンネル測定を行い、ＣＱＩを生成し、且つアップリンク制御チャンネルによって前記ネットワーク装置に報告し、複数のリンクに対応したＣＱＩは相当し、且ついずれもある所定の範囲にあると、データ伝送の信頼性を向上させるように、ネットワーク装置は高レベルデータコピー伝送のトリガーを決定する。ネットワーク装置は１つの時間間隔の各リンクに対応したＣＱＩの大きさを統計し、各リンクＣＱＩの統計結果に基づき、例えばある時間間隔内でのＣＱＩを平均統計し、該ＣＱＩがある所定の範囲にあると、ネットワーク装置は高レベルデータコピー伝送をトリガーし、
選択可能に、第３時間範囲内で受信した前記ネットワーク装置と前記端末装置との間の複数のリンクに対する前記端末装置のフィードバック情報に基づき、前記ＰＤＣＰ  ＰＤＵの伝送方法を確定し、前記伝送方法によって、第４時間範囲内で、前記ネットワーク装置は前記端末装置に前記ＰＤＣＰ  ＰＤＵを送信する。
【００６０】
選択可能に、前記ネットワーク装置と前記端末装置との間の複数のリンクに対する前記端末装置のフィードバック情報は前記端末装置が各リンクで、データ復調を行った結果のフィードバックを含み、前記復調結果のフィードバックは確認ＡＣＫメッセージまたは否定確認ＮＡＣＫメッセージを含み、前記第３時間範囲内で、前記各リンクで受信したＡＣＫメッセージの数および／またはＮＡＣＫメッセージの数に基づき、前記ＰＤＣＰ  ＰＤＵの伝送方法を確定する。
【００６１】
選択可能に、前記第３時間範囲内で、各リンクで受信したＡＣＫメッセージとＮＡＣＫメッセージの数の比、および／または任意の２つのリンクのＡＣＫメッセージの数とＮＡＣＫメッセージの数の比の差に基づき、前記複数のリンクから、前記ＰＤＣＰ  ＰＤＵの伝送方法を確定する。
【００６２】
例えば、前記端末装置がリンクで復調したデータに対してＨＡＲＱフィードバックを行い、前記ネットワーク装置はそれぞれ各リンクで受信したＡＣＫメッセージの数とＮＡＣＫメッセージの数を統計する。あるタイムウィンドウ（例えば１００ｍｓ）の統計値に基づき次のウィンドウでＰＤＣＰ  ＰＤＵを送信する伝送方法を確定する。
【００６３】
ここで、確定した伝送方法は次の時間範囲内のある属性を有するＰＤＣＰ  ＰＤＵの送信、例えば、一貫した信頼性要件を持つＰＤＣＰ  ＰＤＵの送信に用いられることができる。
【００６４】
以下でいくつかの実現方法を組み合わせ、如何に各リンクで受信されたＡＣＫメッセージの数とＮＡＣＫメッセージの数の比、および／または任意の２つのリンクのＡＣＫメッセージの数とＮＡＣＫメッセージの数の比の差に基づき、ＰＤＣＰ  ＰＤＵの伝送方法を確定するが、本願の実施例に言及されたのはＡＣＫメッセージの数とＮＡＣＫメッセージの数の比であるが、それと類似の手段はいずれも本願の実施例の保護範囲にあり、例えば、ＡＣＫメッセージの数と総数（ＮＡＣＫメッセージとＡＣＫメッセージの数の和）の比であることを理解すべきである。
【００６５】
１つの実現方法において、前記複数のリンクにおいて各リンクのＡＣＫメッセージの数とＮＡＣＫメッセージの数との比は第３所定の範囲にあり、且つ前記複数のリンクにおいて任意の２つのリンクのＡＣＫメッセージの数とＮＡＣＫメッセージ数の比の差は第３所定値以下である場合に、前記ＰＤＣＰ  ＰＤＵの伝送方法はデータコピー伝送方法であると確定する。
【００６６】
例えば、複数のリンクでＡＣＫの数とＮＡＣＫの数の比は相当し、且ついずれも１つの所定の範囲、例えばＡＣＫメッセージの数／（ＡＣＫメッセージの数＋ＮＡＣＫメッセージの数）＝［３０％、  ８０％］にあると、前記ネットワーク装置は次の統計ウィンドウで高レベルデータコピー伝送を行うことを決定する。
【００６７】
１つの実現方法において、前記複数のリンクにおいて第１リンクが存在する場合に、前記ＰＤＣＰ  ＰＤＵの伝送方法はシングルリンク伝送方法であると確定し、ここで、前記第１リンクのＡＣＫメッセージの数とＮＡＣＫメッセージの数の比は前記複数のリンクにおけるその他のいずれかのリンクのＡＣＫメッセージの数とＮＡＣＫメッセージの数の比より高く、且つ前記第１リンクのＡＣＫメッセージ数とＮＡＣＫメッセージの数の比と複数のリンクにおけるその他のいずれかのリンクのＡＣＫメッセージの数とＮＡＣＫメッセージの数の比との差は第４所定値以上である。
【００６８】
選択可能に、前記第１リンクを使用して、前記ネットワーク装置は前記端末装置に前記ＰＤＣＰ  ＰＤＵを送信する。
【００６９】
例えば、ある複数のリンクで１つのリンクのＡＣＫメッセージの数とＮＡＣＫメッセージの数の比が他のリンクのＡＣＫの数とＮＡＣＫの数の比より高く、且つ比の差がある閾値より大きく、例えば第１リンクでのＡＣＫメッセージの数量／（ＡＣＫメッセージの数量＋ＮＡＣＫメッセージの数量）＝９０％、第２リンクでのＡＣＫメッセージの数／（ＡＣＫメッセージの数＋ＮＡＣＫメッセージの数）＝５０％、比の差が４０％であり、ある閾値、例えば２０％を超えると、前記ネットワーク装置は次の統計ウィンドウで前記第１リンクでシングルリンク伝送を行うことを決定する。
【００７０】
１つの実現方法において、前記複数のリンクにおいて各リンクのＡＣＫメッセージの数とＮＡＣＫメッセージの数の比が第５所定値以上であり、且つ前記複数のリンクにおいて任意の２つのリンクのＡＣＫメッセージの数とＮＡＣＫメッセージの数の比の差が第６所定値以下である場合に、前記ＰＤＣＰ  ＰＤＵの伝送方法はシングルリンク伝送方法であると確定する。
【００７１】
選択可能に、前記複数のリンクにおける第２リンクを使用して、前記ネットワーク装置は前記端末装置に前記ＰＤＣＰ  ＰＤＵを送信し、前記第２リンクは前記複数のリンクにおけるＡＣＫメッセージの数とＮＡＣＫメッセージの数の比が最も高いリンクである。
【００７２】
例えば、前記複数のリンクのＡＣＫの数および／ＮＡＣＫの数の比はいずれも相当し、且つ１つのより高い範囲にあり、例えば７０％を超えると、前記ネットワーク装置は比が最も高いリンクを選択してシングルリンクデータ伝送を行い、その他のリンクは現在に選択されたリンクと異なったデータを伝送することに用いられることができる。
【００７３】
１つの実現方法において、前記複数のリンクにおける各リンクのＡＣＫメッセージの数とＮＡＣＫメッセージの数の比が第７所定値以下である場合に、前記ＰＤＣＰ  ＰＤＵの伝送方法はシングルリンク伝送方法またはデータコピー伝送方法であると確定する。
【００７４】
例えば、前記複数の接続したＡＣＫメッセージの数とＮＡＣＫの数の比はいずれも相当し、且つ１つの低い範囲にあり、例えば３０％より低いと、前記ネットワーク装置は高レベルデータコピー伝送方法またはシングルリンクデータを選択することができる。
【００７５】
選択可能に、前記ＰＤＣＰ  ＰＤＵの伝送方法に基づき、前記複数のリンクから少なくとも１つのリンクを選択し、前記少なくとも１つのリンクに対してリンク適応を行い、リンク適応の後の前記少なくとも１つのリンクを使用して、前記ＰＤＣＰ  ＰＤＵを送信する。
【００７６】
具体的に、前記複数のリンクにおける各リンクのＡＣＫメッセージの数とＮＡＣＫメッセージの数の比が第７所定値以下である場合に、ネットワーク装置はシングルリンク伝送またはデータコピーの伝送方法によってＰＤＣＰ  ＰＤＵを送信することができ、ここで、各リンクのＡＣＫメッセージの数とＮＡＣＫメッセージの数の比がいずれも第７所定値より小さいため、各リンクのチャンネル品質がいずれも悪いことを示すため、選択されたリンクに対してリンク適応することができ、即ち低い変調コーディング方法を使用して、選択されたリンクでＰＤＣＰ  ＰＤＵを送信する。
【００７７】
選択可能に、本願の実施例において、上記のＡＣＫの数とＮＡＣＫの数に基づいてＰＤＣＰ  ＰＤＵの伝送方法を判断する判断方法はその他のフィードバック情報にも適用し、簡潔のため、ここで繰り返して説明しない。
【００７８】
選択可能に、本願の実施例において、端末装置がその中の一部のリンクを選択して該ＰＤＣＰ  ＰＤＵを伝送する場合に、その他のリンクを使用して別のＰＤＣＰ  ＰＤＵを伝送することができる。
【００７９】
選択可能に、本願の実施例において、ＰＤＣＰ  ＰＤＵの伝送方法を確定した後に、ＰＤＣＰ  ＰＤＵの伝送方法に基づき、複数のリンクから該ＰＤＣＰ  ＰＤＵを送信するためのリンクを選択することができ、データコピー伝送の方法であると、複数から全部または一部の複数のリンクを選択してＰＤＣＰ  ＰＤＵの伝送を行うことができ、シングルリンク伝送方法であると、複数のリンクから１つのリンクを選択してＰＤＣＰ  ＰＤＵ伝送を行うことができる。
【００８０】
選択可能に、複数のリンクのリンク品質に基づき、複数のリンクから、ＰＤＣＰ  ＰＤＵを送信するためのリンクを選択することができる。
【００８１】
例えば、各リンクにおける第１推定値、第２推定値、ＲＲＭ測定結果、及びチャネル状態情報、データに対して復調した結果及びビーム測定結果の中の少なくとも１つのリンクに基づき。
【００８２】
図４は本願の実施例によるネットワーク装置３００を示す模式的なブロック図である。ここで、前記ネットワーク装置３００は処理ユニット３１０及び送受信ユニット３２０を備え、
前記処理ユニット３１０は、ＰＤＣＰ  ＰＤＵの伝送方法を確定することに用いられ、前記伝送方法はデータコピー伝送方法またはシングルリンク伝送方法を含み、
前記送受信ユニット３２０は、前記ＰＤＣＰ  ＰＤＵの伝送方法に基づき、前記端末装置に前記ＰＤＣＰ  ＰＤＵを送信することに用いられる。
【００８３】
選択可能に、前記処理ユニット３１０は更に、
前記ネットワーク装置と前記端末装置との間の複数のリンクに対する前記端末装置のフィードバック情報に基づき、前記ＰＤＣＰ  ＰＤＵの伝送方法を確定することに用いられる。
【００８４】
選択可能に、前記処理ユニット３１０は更に、
前記ネットワーク装置と前記端末装置との間の複数のリンクで伝送されるアップリンクデータに対してチャネル推定を行って、第１推定値を取得すること、及び
前記各リンクの前記第１推定値を使用して、前記ＰＤＣＰ  ＰＤＵの伝送方法を確定することに用いられる。
【００８５】
選択可能に、前記処理ユニット３１０は更に、
前記複数のリンクにおいて２つのリンクごとの第１推定値の差は第１所定値以下であり、且つ前記複数のリンクにおいて各リンクの第１推定値は第１所定の範囲にあり、前記伝送方法はデータコピー伝送ネットワーク装置であると確定すること、または、
前記複数のリンクにおいて少なくとも２つのリンクの第１推定値の差が第１所定値より大きく、または前記複数のリンクにおいて少なくとも１つのリンクの第１推定値が第１所定の範囲にいない場合に、前記伝送方法はシングルリンク伝送方法であると確定することに用いられる。
【００８６】
選択可能に、前記処理ユニット３１０は更に、
前記ネットワーク装置と前記端末装置との間の複数のリンクが第１時間範囲内で伝送されるアップリンクデータに対してチャネル推定を行って、前記第１推定値を取得すること、
前記第１時間範囲内で得られた前記第１推定値を利用して、前記伝送方法を確定すること、及び
前記伝送方法によって、第２時間範囲で、前記端末装置に前記ＰＤＣＰ  ＰＤＵを送信することに用いられる。
【００８７】
選択可能に、前記ネットワーク装置と前記端末装置との間の複数のリンクに対する前記端末装置のフィードバック情報は、
前記端末装置が前記複数のリンクにおける各リンクで、得られたチャネル状態情報、
前記端末装置が前記複数のリンクにおける各リンクで、データ復調を行った結果のフィードバック、
前記端末装置が前記複数のリンクにおける各リンクで無線リソース管理ＲＲＭ測定を行ったＲＲＭ測定結果、
前記端末装置が前記複数のリンクにおける各リンクで伝送される制御シグナリングに対してチャネル推定を行って得られた第２推定値、
前記端末装置が前記複数のリンクにおける各リンクで送信したビームを測定して得られたビーム測定結果の中の少なくとも１種を含む。
【００８８】
選択可能に、前記フィードバック情報は前記チャネル状態情報、前記ＲＲＭ測定結果、前記第２推定値及び前記ビーム測定結果を含み、
前記処理ユニット３１０は更に、
前記複数のリンクにおいて２つのリンクごとのフィードバック情報の取る値の差は第２所定値以下であり、且つ前記複数のリンクにおいて各リンクのフィードバック情報の取る値は第２所定の範囲にあり、前記伝送方法はデータコピー伝送方式であると確定すること、または、
前記複数のリンクにおいて少なくとも２つのリンクのフィードバック情報の取る値の差は第２所定値より大きく、または前記複数のリンクにおいて少なくとも１つのリンクのフィードバック情報の取る値は第２所定の範囲にいない場合に、前記伝送方法はシングルリンク伝送方法であると確定することに用いられる。
【００８９】
選択可能に、前記処理ユニット３１０は更に、
第３時間範囲内で受信した前記ネットワーク装置と前記端末装置との間の複数のリンクに対する前記端末装置のフィードバック情報に基づき、前記ＰＤＣＰ  ＰＤＵの伝送方法を確定すること、及び
前記伝送方法によって、第４時間範囲内で、前記端末装置に前記ＰＤＣＰ  ＰＤＵを送信することに用いられる。
【００９０】
選択可能に、前記ネットワーク装置と前記端末装置との間の複数のリンクに対する前記端末装置のフィードバック情報は前記端末装置が各リンクで、データ復調を行った結果のフィードバックを含み、前記復調結果のフィードバックは確認ＡＣＫメッセージまたは否定確認ＮＡＣＫメッセージを含み、
前記処理ユニット３１０は更に、
前記第３時間範囲内で、前記各リンクで受信したＡＣＫメッセージの数および／またはＮＡＣＫメッセージの数に基づき、前記ＰＤＣＰ  ＰＤＵの伝送方法を確定することに用いられる。
【００９１】
選択可能に、前記処理ユニット３１０は更に、
前記第３時間範囲内で、各リンクで受信したＡＣＫメッセージとＮＡＣＫメッセージ数の比、および／または任意の２つのリンクのＡＣＫメッセージの数とＮＡＣＫメッセージの数の比の差に基づき、前記複数のリンクから、前記ＰＤＣＰ  ＰＤＵの伝送方法を確定することに用いられる。
【００９２】
選択可能に、前記処理ユニット３１０は更に、
前記複数のリンクにおいて各リンクのＡＣＫメッセージの数とＮＡＣＫメッセージの数との比は第３所定の範囲にあり、且つ前記複数のリンクにおいて任意の２つのリンクのＡＣＫメッセージの数とＮＡＣＫメッセージの数の比の差は第３所定値以下である場合に、前記ＰＤＣＰ  ＰＤＵの伝送方法はデータコピー伝送方法であると確定することに用いられる。
【００９３】
選択可能に、前記処理ユニット３１０は更に、
前記複数のリンクにおいて第１リンクが存在する場合に、前記ＰＤＣＰ  ＰＤＵの伝送方法はシングルリンク伝送方法であると確定することに用いられ、ここで、前記第１リンクのＡＣＫメッセージの数とＮＡＣＫメッセージの数の比は前記複数のリンクにおけるその他のいずれかのリンクのＡＣＫメッセージの数とＮＡＣＫメッセージの数の比より高く、且つ前記第１リンクのＡＣＫメッセージの数とＮＡＣＫメッセージの数の比と複数のリンクにおけるその他のいずれかのリンクのＡＣＫメッセージの数とＮＡＣＫメッセージの数の比との差は第４所定値以上である。
【００９４】
選択可能に、前記送受信ユニット３２０は更に、
前記第１リンクを使用して、前記端末装置に前記ＰＤＣＰ  ＰＤＵを送信することに用いられる。
【００９５】
選択可能に、前記処理ユニット３１０は更に、
前記複数のリンクにおいて各リンクのＡＣＫメッセージの数とＮＡＣＫメッセージの数の比は第５所定値以上であり、且つ前記複数のリンクにおいて任意の２つのリンクのＡＣＫメッセージの数とＮＡＣＫメッセージの数の比の差は第６所定値以下である場合に、前記ＰＤＣＰ  ＰＤＵの伝送方法はシングルリンク伝送方法であると確定することに用いられる。
【００９６】
選択可能に、前記送受信ユニット３２０は更に、
前記複数のリンクにおける第２リンクを使用して、前記端末装置に前記ＰＤＣＰ  ＰＤＵを送信することに用いられ、ここで、前記第２リンクは前記複数のリンクにおけるＡＣＫメッセージの数とＮＡＣＫメッセージの数の比が最も高いリンクである。
【００９７】
選択可能に、前記処理ユニット３１０は更に、
前記複数のリンクにおける各リンクのＡＣＫメッセージの数とＮＡＣＫメッセージの数の比は第７所定値以下である場合に、前記ＰＤＣＰ  ＰＤＵの伝送方法はシングルリンク伝送方法またはデータコピー伝送方法であると確定することに用いられる。
【００９８】
選択可能に、前記送受信ユニット３２０は更に、
前記ＰＤＣＰ  ＰＤＵの伝送方法に基づき、前記複数のリンクから少なくとも１つのリンクを選択すること、
前記少なくとも１つのリンクに対してリンク適応すること、及び
リンク適応の後の前記少なくとも１つのリンクを使用して、前記ＰＤＣＰ  ＰＤＵを送信することに用いられる。
【００９９】
選択可能に、前記複数のリンクは複数のキャリアーと一対一対応し、前記複数のリンクにおける各リンクは対応したキャリアーによって信号伝送を行う。
【０１００】
該ネットワーク装置３００は方法２００におけるネットワーク装置に対応でき、方法２００におけるネットワーク装置の対応した機能を実現することができることを理解すべき、簡潔のため、ここで繰り返して説明しない。
【０１０１】
図５は本願の実施例によるシステムチップ４００の１つの模式的な構造図である。図５のシステムチップ４００は入力インターフェース４０１と出力インターフェース４０２を備え、前記プロセッサー４０３とメモリ４０４は内部通信接続回線によって接続されることができ、前記プロセッサー４０３は前記メモリ７０４におけるコードを実行することに用いられる。
【０１０２】
選択可能に、前記コードが実行される場合に、前記プロセッサー４０３は図２に示すような方法２００においてネットワーク装置により実行される方法を実現する。簡潔のため、ここで繰り返して説明しない。
【０１０３】
図６は本願の実施例による通信装置５００を示す模式的なブロック図である。図６に示すように、該通信装置６００はプロセッサー６１０とメモリ６２０を備える。ここで、該メモリ６２０にプログラムコードが記憶されることができ、該プロセッサー６１０は該メモリ６２０に記憶されたプログラムコードを実行することができる。
【０１０４】
選択可能に、図６に示すように、該通信装置６００はトランシーバー６３０を備えてよく、プロセッサー６１０はトランシーバー６３０の外部通信を制御することができる。
【０１０５】
選択可能に、該プロセッサー６１０はメモリ６２０に記憶されたログラムコードを呼び出し、図２の方法２００におけるネットワーク装置の対応した操作を実行することができ、簡潔のため、ここで繰り返して説明しない。
【０１０６】
当業者は、本文に開示された実施例に記載の各例示のユニット及びアルゴリズムステップを組み合わせて、電子ハードウェア、又はコンピュータソフトウェア及び電子ハードウェアの組み合わせで実現することができることを認識することができる。これらの機能はハードウェアで実行するかソフトウェアで実行するかは、技術案の特定の応用および設計制約によって決められる。当業者は各特定の応用に対して異なる方法で説明した機能を実現することができるが、このような実現は本願の範囲を超えると考えられない。
【０１０７】
当業者は、便利且つ簡単に説明するために、上記に記載のシステム、装置及びユニットの具体的な作業過程は、上記方法の実施例における対応過程を参照することができ、ここで繰り返して説明しないことを明らかに了解することができる。
【０１０８】
本願によるいくつかの実施例において、開示したシステム、装置及び方法は、その他の方式によって実現されることができることを理解すべきである。例えば以上のような装置実施例は単に例示的なものだけであり、例えば、前記ユニットの分割は、ロジック機能分割だけであり、実際に実現する時に別の分割形態があってもよいし、例えば、複数のユニット又は組立部品を結合してもよいし、又は別のシステムに集積してもよいし、又はいくつかの特徴を無視でき、又は実行しなくてもよい。また、表示又は検討した互いの間にカップリング、又は直接カップリング、又は通信接続はいくつかのインターフェース、装置又はユニットによる間接カップリング又は通信接続であってよく、電気的、機械的又はその形式の接続であってもよい。
【０１０９】
上記の分離部材として説明したユニットは物理的に分離してもよいし、又は分離しなくてもよく、ユニットとして表示する部材は物理ユニットであってもよいし、又は物理ユニットではなくてもよく、即ち１つの場所に位置してもよいし、複数のネットワークユニットに分布されてもよい。実際の需要に応じてその中の一部又は全部のユニットを選択して本実施例手段の目的を実現することができる。
【０１１０】
また、本願の各実施例における各機能ユニットは１つの処理ユニットに集積されてもよいし、各ユニットは単独に物理的に存在してもよいし、２つ又は２つ以上のユニットは１つのユニットに集積されてもよい。
【０１１１】
前記機能はソフトウェア機能ユニットの形式で実現するとともに独立した製品として販売又は使用される場合、1つのコンピュータ読み取り可能な記憶媒体に記憶することができる。このような理解に基づいて、本発明の実施例の技術的解決手段は本質的或いは従来技術に貢献する部分は或いは該技術的解決手段の部分はソフトウェア製品の形式で表現することができ、該コンピュータソフトウェア製品が１つの記憶媒体に記憶され、一台のコンピュータ装置（パーソナルコンピュータ、サーバー、或いはネットワーク装置等である）が本発明の各実施例に記載の方法の全部又は一部のスデップを実行するための若干の指令を含む。前述の記憶媒体は、Ｕディスク、モバイルハードディスク、読み出し専用記憶装置（Ｒｅａｄ−Ｏｎｌｙ  Ｍｅｍｏｒｙ、「ＲＯＭ」と略称）、ランダムアクセスメモリ（Ｒａｎｄｏｍ  Ａｃｃｅｓｓ  Ｍｅｍｏｒｙ、「ＲＡＭ」と略称）、ディスク或いはＣＤ等の様々なプログラムコードを記憶できる媒体を含む。
【０１１２】
以上のように、単に本願の具体的な実施形態であるが、本願の保護範囲はこれに限定されず、当業者は誰でも、本願に開示された技術範囲において、変化又は置換を考えやすく、それらはすべて本願の保護範囲に含まれる。このため、本願の保護範囲は前記請求の範囲の保護範囲を基準とすべきである。
【図１】
2020515176.tif 000003
【図２】
2020515176.tif 000004
【図３】
2020515176.tif 000005
【図４】
2020515176.tif 000006
【図５】
2020515176.tif 000007
【図６】
2020515176.tif 000008
【手続補正書】
【提出日】令和2年3月9日(2020.3.9)
【手続補正１】
【補正対象書類名】明細書
【補正対象項目名】全文
【補正方法】変更
【補正の内容】
【発明の詳細な説明】
【技術分野】
【０００１】
本願は通信分野に関し、且つより具体的に、無線通信方法及び装置に関する。
【背景技術】
【０００２】
キャリアアグリゲーションシナリオで、パケットデータコンバージェンスレイヤプロトコル（Ｐａｃｋｅｔ  Ｄａｔａ  Ｃｏｎｖｅｒｇｅｎｃｅ  Ｐｒｏｔｏｃｏｌ、ＰＤＣＰ）プロトコル層発信元はデータ複製機能をサポートすることができ、即ち１つのＰＤＣＰプロトコルデータユニット（Ｐｒｏｔｏｃｏｌ  Ｄａｔａ  Ｕｎｉｔ、ＰＤＵ）を２通（複数かもしれない）にコピーし、これによってデータ伝送の信頼性を向上させる。従来の技術においてデータコピー伝送方法の直接使用は極めて低いリソース利用率をもたらす。
【発明の概要】
【発明が解決しようとする課題】
【０００３】
本願の実施例は、リソース利用率と伝送信頼性との間の関係のバランスをとることができる無線通信方法及び装置を提供する。
【課題を解決するための手段】
【０００４】
第１態様は、無線通信方法を提供し、
ネットワーク装置がパケットデータコンバージェンスレイヤプロトコルＰＤＣＰプロトコルデータユニットＰＤＵの伝送方法を確定し、前記伝送方法はデータコピー伝送方法またはシングルリンク伝送方法を含むことと、
前記ＰＤＣＰ  ＰＤＵの伝送方法に基づき、前記ネットワーク装置が端末装置へ前記ＰＤＣＰ  ＰＤＵを送信することと、を含む。
【０００５】
データの伝送方法を動的切り替えることによって、効果的にリソース利用率とデータ伝送の信頼性とのバランスをとることができる。
【０００６】
具体的に、データ自体の信頼性に対する要件に従って、対応したＰＤＣＰ  ＰＤＵの伝送方法を確定することができ、効果的にそれによりリソース利用率とデータ伝送の信頼性とのバランスをとることができる。
【０００７】
ここで、データコピー伝送方法とは、１つのＰＤＣＰ  ＰＤＵを複数通にコピーし、それぞれ複数のリンクで伝送することを指し、シングルリンク伝送方法とは１つのＰＤＣＰ  ＰＤＵを１つのリンクを使用して１回伝送することを指す。
【０００８】
第１態様を参照して、第１態様の１つの可能な実現方法において、前記ネットワーク装置がＰＤＣＰ  ＰＤＵの伝送方法を確定することは、
前記ネットワーク装置が前記ネットワーク装置と前記端末装置との間の複数のリンクに対する前記端末装置のフィードバック情報に基づき、前記ＰＤＣＰ  ＰＤＵの伝送方法を確定することを含む。
【０００９】
第１態様またはその上記のいずれかの可能な実現方法を参照して、第１態様の１つの可能な実現方法において、前記ネットワーク装置がＰＤＣＰ  ＰＤＵの伝送方法を確定することは、
前記ネットワーク装置が前記ネットワーク装置と前記端末装置との間の複数のリンクで伝送されるアップリンクデータに対してチャネル推定を行って、第１推定値を取得すること、及び
前記各リンクの前記第１推定値を使用して、前記ＰＤＣＰ  ＰＤＵの伝送方法を確定することを含む。
【００１０】
第１態様またはその上記のいずれかの可能な実現方法を参照して、第１態様の１つの可能な実現方法において、前記各リンクの前記第１推定値を使用して、前記ＰＤＣＰ  ＰＤＵの伝送方法を確定する前記ことは、
前記複数のリンクにおいて２つのリンクごとの第１推定値の差は第１所定値以下であり、且つ前記複数のリンクにおける各リンクの第１推定値が第１所定の範囲にある場合に、前記伝送方法はデータコピー伝送方法であると確定すること、または、
前記複数のリンクにおいて少なくとも２つのリンクの第１推定値の差が第１所定値より大きく、または前記複数のリンクにおいて少なくとも１つのリンクの第１推定値が第１所定の範囲にいない場合に、前記伝送方法はシングルリンク伝送方法であると確定することを含む。
【００１１】
第１態様またはその上記のいずれかの可能な実現方法を参照して、第１態様の１つの可能な実現方法において、前記ネットワーク装置がＰＤＣＰ  ＰＤＵの伝送方法を確定することは、
前記ネットワーク装置が前記ネットワーク装置と前記端末装置との間の複数のリンクが第１時間範囲内で伝送したアップリンクデータに対してチャネル推定を行って、前記第１推定値を取得すること、及び
前記第１時間範囲内で得られた前記第１推定値を利用して、前記伝送方法を確定することを含み、
前記ＰＤＣＰ  ＰＤＵの伝送方法に基づき、前記ネットワーク装置が前記端末装置へ前記ＰＤＣＰ  ＰＤＵを送信する前記ことは、
前記伝送方法によって、第２時間範囲内で、前記ネットワーク装置が端末装置に前記ＰＤＣＰ  ＰＤＵを送信することを含む。
【００１２】
第１態様またはその上記のいずれかの可能な実現方法を参照して、第１態様の１つの可能な実現方法において、前記ネットワーク装置と前記端末装置との間の複数のリンクに対する前記端末装置のフィードバック情報は、
前記端末装置が前記複数のリンクにおける各リンクで、得られたチャネル状態情報、
前記端末装置が前記複数のリンクにおける各リンクで、データ復調を行った結果のフィードバック、
前記端末装置が前記複数のリンクにおける各リンクで無線リソース管理ＲＲＭ測定を行ったＲＲＭ測定結果、
前記端末装置が前記複数のリンクにおける各リンクで伝送した制御シグナリングに対してチャネル推定を行って得られた第２推定値、及び
前記端末装置が前記複数のリンクにおける各リンクで送信したビームを測定して得られたビーム測定結果の中の少なくとも１種を含む。
【００１３】
第１態様またはその上記のいずれかの可能な実現方法を参照して、第１態様の１つの可能な実現方法において、前記フィードバック情報は前記チャネル状態情報、前記ＲＲＭ測定結果、前記第２推定値及び前記ビーム測定結果を含み、
前記ネットワーク装置が前記ネットワーク装置と前記端末装置との間の複数のリンクに対する前記端末装置のフィードバック情報に基づき、前記ＰＤＣＰ  ＰＤＵの伝送方法を確定することは、
前記複数のリンクにおいて２つのリンクごとのフィードバック情報の取る値の差は第２所定値以下であり、且つ前記複数のリンクにおける各リンクのフィードバック情報の取る値は第２所定の範囲にある場合に、前記伝送方法はデータコピー伝送方法であると確定すること、または、
前記複数のリンクにおいて少なくとも２つのリンクのフィードバック情報の取る値の差は第２所定値より大きく、または前記複数のリンクにおいて少なくとも１つのリンクのフィードバック情報の取る値は第２所定の範囲にいない場合に、前記伝送方法はシングルリンク伝送方法であると確定することを含む。
【００１４】
第１態様またはその上記のいずれかの可能な実現方法を参照して、第１態様の１つの可能な実現方法において、前記ネットワーク装置が前記ネットワーク装置と前記端末装置との間の複数のリンクに対する前記端末装置のフィードバック情報に基づき、前記ＰＤＣＰ  ＰＤＵの伝送方法を確定することは、
第３時間範囲内で受信した前記ネットワーク装置と前記端末装置との間の複数のリンクに対する前記端末装置のフィードバック情報に基づき、前記ＰＤＣＰ  ＰＤＵの伝送方法を確定することを含み、
前記ＰＤＣＰ  ＰＤＵの伝送方法に基づき、前記ネットワーク装置が端末装置へ前記ＰＤＣＰ  ＰＤＵを送信する前記ことは、
前記伝送方法によって、第４時間範囲内で、前記ネットワーク装置が前記端末装置に前記ＰＤＣＰ  ＰＤＵを送信することを含む。
【００１５】
第１態様またはその上記のいずれかの可能な実現方法を参照して、第１態様の１つの可能な実現方法において、前記ネットワーク装置と前記端末装置との間の複数のリンクに対する前記端末装置のフィードバック情報は前記端末装置が各リンクで、データ復調を行った結果のフィードバックを含み、前記復調結果のフィードバックは確認ＡＣＫメッセージまたは否定確認ＮＡＣＫメッセージを含み、
前記ネットワーク装置が前記ネットワーク装置と前記端末装置との間の複数のリンクに対する前記端末装置のフィードバック情報に基づき、前記ＰＤＣＰ  ＰＤＵの伝送方法を確定することは、
前記第３時間範囲内で、前記各リンクで受信したＡＣＫメッセージの数またはＮＡＣＫメッセージの数の中の少なくとも１つに基づき、前記ＰＤＣＰ  ＰＤＵの伝送方法を確定することを含む。
【００１６】
第１態様またはその上記のいずれかの可能な実現方法を参照して、第１態様の１つの可能な実現方法において、前記第３時間範囲内で、前記各リンクで受信したＡＣＫメッセージの数またはＮＡＣＫメッセージの数の中の少なくとも１つに基づき、前記ＰＤＣＰ  ＰＤＵの伝送方法を確定する前記ことは、
前記第３時間範囲内で、各リンクで受信したＡＣＫメッセージとＮＡＣＫメッセージの数の比、または前記複数のリンクにおける任意の２つのリンクのＡＣＫメッセージの数とＮＡＣＫメッセージの数の比の差の中の少なくとも１つに基づき、前記ＰＤＣＰ  ＰＤＵの伝送方法を確定することを含む。
【００１７】
第１態様またはその上記のいずれかの可能な実現方法を参照して、第１態様の１つの可能な実現方法において、前記第３時間範囲内で、各リンクで受信したＡＣＫメッセージとＮＡＣＫメッセージの数の比、または前記複数のリンクにおける任意の２つのリンクのＡＣＫメッセージの数とＮＡＣＫメッセージの数の比の差の中の少なくとも１つに基づき、前記ＰＤＣＰ  ＰＤＵの伝送方法を確定することは、
前記複数のリンクにおいて各リンクのＡＣＫメッセージの数とＮＡＣＫメッセージの数との比は第３所定の範囲にあり、且つ前記複数のリンクにおいて任意の２つのリンクのＡＣＫメッセージの数とＮＡＣＫメッセージの数の比の差は第３所定値以下である場合に、前記ＰＤＣＰ  ＰＤＵの伝送方法はデータコピー伝送方法であると確定することを含む。
【００１８】
第１態様またはその上記のいずれかの可能な実現方法を参照して、第１態様の１つの可能な実現方法において、前記第３時間範囲内で、各リンクで受信したＡＣＫメッセージとＮＡＣＫメッセージの数の比、または前記複数のリンクにおける任意の２つのリンクのＡＣＫメッセージの数とＮＡＣＫメッセージの数の比の差の中の少なくとも１つに基づき、前記ＰＤＣＰ  ＰＤＵの伝送方法を確定することは、
前記複数のリンクにおいて第１リンクが存在する場合に、前記ＰＤＣＰ  ＰＤＵの伝送方法はシングルリンク伝送方法であると確定し、前記第１リンクのＡＣＫメッセージの数とＮＡＣＫメッセージの数の比は前記複数のリンクにおけるその他のいずれかのリンクのＡＣＫメッセージの数とＮＡＣＫメッセージの数の比より高く、且つ前記第１リンクのＡＣＫメッセージの数とＮＡＣＫメッセージの数の比と複数のリンクにおけるその他のいずれかのリンクのＡＣＫメッセージの数とＮＡＣＫメッセージの数の比との差は第４所定値以上であることを含む。
【００１９】
第１態様またはその上記のいずれかの可能な実現方法を参照して、第１態様の１つの可能な実現方法において、前記ＰＤＣＰ  ＰＤＵの伝送方法に基づき、前記ネットワーク装置が端末装置へ前記ＰＤＣＰ  ＰＤＵを送信することは、
前記第１リンクを使用して、前記ネットワーク装置が前記端末装置に前記ＰＤＣＰ  ＰＤＵを送信することを含む。
【００２０】
第１態様またはその上記のいずれかの可能な実現方法を参照して、第１態様の１つの可能な実現方法において、前記第３時間範囲内で、各リンクで受信したＡＣＫメッセージとＮＡＣＫメッセージの数の比、または前記複数のリンクにおける任意の２つのリンクのＡＣＫメッセージの数とＮＡＣＫメッセージの数の比の差の中の少なくとも１つに基づき、前記ＰＤＣＰ  ＰＤＵの伝送方法を確定することは、
前記複数のリンクにおいて各リンクのＡＣＫメッセージの数とＮＡＣＫメッセージの数の比は第５所定値以上であり、且つ前記複数のリンクにおいて任意の２つのリンクのＡＣＫメッセージの数とＮＡＣＫメッセージの数の比の差は第６所定値以下である場合に、前記ＰＤＣＰ  ＰＤＵの伝送方法はシングルリンク伝送方法であると確定することを含む。
【００２１】
第１態様またはその上記のいずれかの可能な実現方法を参照して、第１態様の１つの可能な実現方法において、前記ＰＤＣＰ  ＰＤＵの伝送方法に基づき、前記ネットワーク装置が端末装置へ前記ＰＤＣＰ  ＰＤＵを送信する前記ことは、
前記複数のリンクにおける第２リンクを使用して、前記ネットワーク装置が前記端末装置に前記ＰＤＣＰ  ＰＤＵを送信し、前記第２リンクは前記複数のリンクにおけるＡＣＫメッセージの数とＮＡＣＫメッセージの数の比が最も高いリンクであることを含む。
【００２２】
第１態様またはその上記のいずれかの可能な実現方法を参照して、第１態様の１つの可能な実現方法において、前記第３時間範囲内で、各リンクで受信したＡＣＫメッセージとＮＡＣＫメッセージの数の比、または前記複数のリンクにおける任意の２つのリンクのＡＣＫメッセージの数とＮＡＣＫメッセージの数の比の差の中の少なくとも１つに基づき、前記ＰＤＣＰ  ＰＤＵの伝送方法を確定することは、
前記複数のリンクにおける各リンクのＡＣＫメッセージの数とＮＡＣＫメッセージの数の比が第７所定値以下である場合に、前記ＰＤＣＰ  ＰＤＵの伝送方法はシングルリンク伝送方法またはデータコピー伝送方法であると確定することを含む。
【００２３】
第１態様またはその上記のいずれかの可能な実現方法を参照して、第１態様の１つの可能な実現方法において、前記ＰＤＣＰ  ＰＤＵの伝送方法に基づき、前記ネットワーク装置が前記端末装置へ前記ＰＤＣＰ  ＰＤＵを送信する前記ことは、
前記ＰＤＣＰ  ＰＤＵの伝送方法に基づき、前記複数のリンクから少なくとも１つのリンクを選択すること、
前記少なくとも１つのリンクに対してリンク適応すること、及び
リンク適応の後の前記少なくとも１つのリンクを使用して、前記ＰＤＣＰ  ＰＤＵを送信することを含む。
【００２４】
第１態様またはその上記のいずれかの可能な実現方法を参照して、第１態様の１つの可能な実現方法において、前記複数のリンクは複数のキャリアーと一対一対応し、前記複数のリンクにおける各リンクは対応したキャリアーによって信号伝送を行う。
【００２５】
第２態様は、ネットワーク装置を提供し、該ネットワーク装置は上記の第１態様またはそのいずれかの可能な実現方法の中の方法を実現すためのユニットを備えてよい。
【００２６】
第３態様は、ネットワーク装置を提供し、該ネットワーク装置はメモリ及びプロセッサーを備えてよく、該メモリは命令を記憶し、該プロセッサはメモリに記憶された命令を呼び出して第１態様またはそのいずれかの選択可能な実現方法の中の方法を実行することに用いられる。
【００２７】
第４態様は、コンピュータ可読媒体を提供し、前記コンピュータ可読媒体はネットワーク装置が実行するためのプログラムコードを記憶し、前記プログラムコードは第１態様またはその様々な実現方法の中の方法を実行するための命令を含む。
【図面の簡単な説明】
【００２８】
本願の実施例の技術的解決手段をより明確的に説明するために、以下、実施例または従来の技術に使用する必要がある図面を簡単に説明し、明らかで、以下で説明する図面はただ本願の一部の実施例だけであり、当業者にとって、創造的な作業なしに更にこれらの図面に基づいてその他の図面を取得することができる。
【図１】本願の実施例による無線通信システムを示す模式図である。
【図２】キャリアアグリゲーションシナリオでのデータコピー伝送を示すプロトコルアーキテクチャ図である。
【図３】本願の実施例による無線通信方法を示す模式的なフローチャートである。
【図４】本願の実施例によるネットワーク装置を示す模式的なブロック図である。
【図５】本願の実施例によるシステムチップを示す模式的なブロック図である。
【図６】本願の実施例によるネットワーク装置を示す模式的なブロック図である。
【発明を実施するための形態】
【００２９】
以下、本願の実施例における図面を参照して、本願の実施例における技術的解決手段を説明し、無論、説明された実施例は全部の実施例ではなく、本願の一部の実施例だけである。本願における実施例に基づいて、当業者は創造的な労働なしに得られたすべての他の実施例は、いずれも本願が保護する範囲に属する。
【００３０】
本願の実施例の技術的解決手段は様々な通信システム、例えばグローバルモバイル通信（Ｇｌｏｂａｌ  Ｓｙｓｔｅｍ  ｏｆ  Ｍｏｂｉｌｅ  ｃｏｍｍｕｎｉｃａｔｉｏｎ、「ＧＳＭ」と略称）システム、符号分割多元接続（Ｃｏｄｅ  Ｄｉｖｉｓｉｏｎ  Ｍｕｌｔｉｐｌｅ  Ａｃｃｅｓｓ、「ＣＤＭＡ」と略称）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、「ＷＣＤＭＡ」と略称）システム、一般パケット無線サービス（Ｇｅｎｅｒａｌ  Ｐａｃｋｅｔ  Ｒａｄｉｏ  Ｓｅｒｖｉｃｅ、「ＧＰＲＳ」と略称）、ロングタームエボリューション（Ｌｏｎｇ  Ｔｅｒｍ  Ｅｖｏｌｕｔｉｏｎ、「ＬＴＥ」と略称）システム、ＬＴＥ周波数分割デュプレックス（Ｆｒｅｑｕｅｎｃｙ  Ｄｉｖｉｓｉｏｎ  Ｄｕｐｌｅｘ、「ＦＤＤ」と略称）システム、ＬＴＥ時分割デュプレックス（Ｔｉｍｅ  Ｄｉｖｉｓｉｏｎ  Ｄｕｐｌｅｘ、「ＴＤＤ」と略称）、ユニバーサル移動通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ、「ＵＭＴＳ」と略称）、グローバル相互接続マイクロ波アクセス（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ、「ＷｉＭＡＸ」と略称）通信システムまたは将来の５Ｇシステム等に応用できる。
【００３１】
図１は本願の実施例が使用する無線通信システム１００を示した。該無線通信システム１００はネットワーク装置１１０を備えてよい。ネットワーク装置１１０は端末装置と通信する装置であってよい。ネットワーク装置１１０は特別な地理的エリアのために通信カバレッジを提供することができ、且つ該カバレッジ領域内に位置する端末装置（例えばＵＥ）と通信することができる。選択可能に、該ネットワーク装置１１０はＧＳＭシステム又はＣＤＭＡシステムにおけるベーストランシーバステーション（Ｂａｓｅ  Ｔｒａｎｓｃｅｉｖｅｒ  Ｓｔａｔｉｏｎ、ＢＴＳ）であってもよいし、ＷＣＤＭＡシステムにおけるノードＢ（ＮｏｄｅＢ、ＮＢ）であってもよいし、ＬＴＥシステムにおける進化ノードＢ（Ｅｖｏｌｕｔｉｏｎａｌ  Ｎｏｄｅ  Ｂ、ｅＮＢ又はｅＮｏｄｅＢ）、或いはクラウド無線アクセスネットワーク  （Ｃｌｏｕｄ  Ｒａｄｉｏ  Ａｃｃｅｓｓ  Ｎｅｔｗｏｒｋ、ＣＲＡＮ）におけるワイヤレスコントローラーであってもよく、或いは該ネットワーク装置は中継局、アクセスポイント、車載装置、ウェアラブル装置、将来５Ｇネットワークにおけるネットワーク側装置或いは将来の進化公衆陸上モバイルネットワーク（Ｐｕｂｌｉｃ  Ｌａｎｄ  Ｍｏｂｉｌｅ  Ｎｅｔｗｏｒｋ、ＰＬＭＮ）におけるネットワーク装置等であってよい。
【００３２】
該無線通信システム１００はネットワーク装置１１０のカバレッジ範囲内に位置する少なくとも１つの端末装置１２０を更に備える。端末装置１２０は移動式でも固定式でもよい。選択可能に、端末装置１２０はアクセス端末、ユーザ機器（Ｕｓｅｒ  Ｅｑｕｉｐｍｅｎｔ、ＵＥ）、ユーザユニット、ユーザ局、移動ステーション、移動局、遠隔局、遠隔端末、モバイル装置、ユーザ端末、端末、無線通信装置、ユーザエージェントまたはユーザデバイスを指すことができる。アクセス端末はセルラー電話、コードレス電話、セッション開始プロトコル（Ｓｅｓｓｉｏｎ  Ｉｎｉｔｉａｔｉｏｎ  Ｐｒｏｔｏｃｏｌ、ＳＩＰ）電話、無線ローカルループ（Ｗｉｒｅｌｅｓｓ  Ｌｏｃａｌ  Ｌｏｏｐ、ＷＬＬ）局、パーソナルデジタルアシスタント（Ｐｅｒｓｏｎａｌ  Ｄｉｇｉｔａｌ  Ａｓｓｉｓｔａｎｔ、ＰＤＡ）、無線通信機能を有するハンドヘルド装置、コンピューティング装置又は無線モデムに接続された他の処理装置、車載装置、ウェアラブル装置及び将来５Ｇネットワークにおける端末装置或いは将来進化されたＰＬＭＮにおける端末装置等であってよい。
【００３３】
一実施例において、端末装置１２０の間に端末直接アクセス（Ｄｅｖｉｃｅ  ｔｏ  Ｄｅｖｉｃｅ、Ｄ２Ｄ）通信を行うことができる。
【００３４】
一実施例において、５Ｇシステムまたはネットワークは更に新しい無線（Ｎｅｗ  Ｒａｄｉｏ、ＮＲ）システムまたはネットワークと呼ばれることができる。
【００３５】
図１は例示的に１つのネットワーク装置と２つの端末装置を示し、一実施例において、該無線通信システム１００は複数のネットワーク装置を含んでよく且つ各ネットワーク装置のカバレッジ範囲内にその他の数の端末装置を含んでよく、本願の実施例はこれを制限しない。
【００３６】
一実施例において、該無線通信システム１００はネットワークコントローラー、モビリティ管理エンティティ等の他のネットワークエンティティを備えてもよく、本願の実施例はこれを制限しない。
【００３７】
理解すべきなのは、本文における用語「システム」及び「ネットワーク」は本文で交換可能に使用される場合が多い。本文における用語「及び／又は」は、単に関連オブジェクトの関連関係を説明するだけであり、三種の関係が存在してよいことを示し、例えば、Ａ及び／又はＢは、単独にＡが存在し、同時にＡとＢが存在し、単独にＢが存在するという三種の場合を示すことができる。また、本文におけるキャラクター「／」は、一般的に前後関連オブジェクトが「又は」の関係であることを示すことを理解すべきである。
【００３８】
理解の便利のため、以下、図２を組み合わせて如何にコピーデータを異なる物理キャリアーにスケジューリングするかを簡単に紹介する。図２に示すように、ＰＤＣＰレイヤは分割ベアラ複製機能を有し、ＰＤＣＰ  ＳＤＵ１のデータプロセスをコピーしてＰＤＣＰ  ＰＤＵ１とＰＤＣＰ  ＰＤＵ２にカプセル化し、ＰＤＣＰ  ＰＤＵ１とＰＤＣＰ  ＰＤＵ２は同様な内容を有し、即ちベアラしたデータｐａｙｌｏａｄとヘッダｈｅａｄｅｒはいずれも同様である。それぞれＰＤＣＰ  ＰＤＵ１とＰＤＣＰ  ＰＤＵ２を異なる無線リンク制御（Ｒａｄｉｏ  Ｌｉｎｋ  Ｃｏｎｔｒｏｌ、ＲＬＣ）エンティティにマッピングし、ＲＬＣエンティティはＰＤＣＰ  ＰＤＵ１とＰＤＣＰ  ＰＤＵ２を異なる論理チャネル（論理チャネル１と論理チャネル２）に配置し、メディアアクセス制御（Ｍｅｄｉａ  Ａｃｃｅｓｓ  Ｃｏｎｔｒｏｌ、ＭＡＣ）に対して、どちらの論理チャネルが同一のＰＤＣＰ  ＰＤＵのコピーデータを伝送するかを分かった後に、これらのコピーデータを異なるハイブリッド自動再送要求（Ｈｙｂｒｉｄ  Ａｕｔｏｍａｔｉｃ  Ｒｅｐｅａｔ  ｒｅＱｕｅｓｔ、ＨＡＲＱ）エンティティによって異なるキャリアーで伝送し、例えば、論理チャネル１にベアラされたコピーデータをＨＡＲＱエンティティ１によって物理キャリアー１で伝送し、論理チャネル２にベアラされたコピーデータをＨＡＲＱエンティティ２によって物理キャリアー２で伝送する。
【００３９】
ＰＤＣＰレイヤデータコピー伝送はダイバーシチゲインを使用することによってデータ伝送の信頼性を効果的に向上させることができるが、明らかな欠点は、該方法が極めて低いシステムリソース利用率をもたらすことであり、即ち異なるリソースによって同様な内容を伝送する必要がある。
【００４０】
図３は本願の実施例による無線通信方法２００を示す模式的なフローチャートである。一実施例において、該方法２００は図１に示すようなシステムに応用できるが、これに制限されない。図３に示すように、該方法２００は以下の内容を含む。
【００４１】
２１０では、ネットワーク装置がＰＤＣＰ  ＰＤＵの伝送方法を確定し、前記伝送方法はデータコピー伝送方法またはシングルリンク伝送方法を含む。
【００４２】
２２０では、前記ＰＤＣＰ  ＰＤＵの伝送方法に基づき、前記ネットワーク装置が前記端末装置へ前記ＰＤＣＰ  ＰＤＵを送信する。
【００４３】
具体的に、ネットワーク装置はＰＤＣＰ  ＰＤＵの伝送方法を柔軟に確定することができ、即ち具体的にデータコピー伝送方法であるか、シングルリンク伝送方法であるかを確定する。ここで、データコピー伝送方法は上記の１つのＰＤＣＰ  ＰＤＵを複数通にコピーし、それぞれ複数のリンク即ち図２におけるＲＬＣレイヤで伝送することを示してよく、シングルリンク伝送方法は１つのＰＤＣＰ  ＰＤＵを１つのリンクによって１回伝送することを指してよく、ネットワーク装置はどちらの伝送方法を確定した後に、確定された伝送方法によって該ＰＤＣＰ  ＰＤＵを伝送することができる。例えば、ネットワーク装置は伝送方法がシングルリンク伝送方法であると確定したと、ネットワーク装置は１つのリンクによって該ＰＤＣＰ  ＰＤＵを伝送し、ネットワーク装置は伝送方法がデータコピー伝送方法であると確定したと、ネットワーク装置は複数のリンクを選択して該ＰＤＣＰ  ＰＤＵのコピーデータを伝送することができる。
【００４４】
このため、本願の実施例によるデータの伝送方法は、リソース利用率とデータ伝送の信頼性とのバランスを取ることに役立つ。
【００４５】
一実施例において、本願の実施例において、前記ネットワーク装置は前記ネットワーク装置と前記端末装置との間の複数のリンクに対する前記端末装置のフィードバック情報に基づき、前記ＰＤＣＰ  ＰＤＵの伝送方法を確定してもよいし、前記ネットワーク装置と前記端末装置との間の複数のリンクで伝送されるアップリンクデータに対してチャネル推定を行って、前記ＰＤＣＰ  ＰＤＵの伝送方法を確定してもよい。
【００４６】
ここの複数のリンクはネットワーク装置と端末装置との間のすべてのリンクに対してもよいし、ネットワーク装置と端末装置との間の一部のリンクに対してもよいことを理解すべきである。
【００４７】
一実施例において、前記複数のリンクは複数のキャリアーと一対一に対応し、前記複数のリンクにおける各リンクは対応したキャリアーによって信号伝送を行う。
【００４８】
一実施例において、本願の実施例に言及された複数のリンクはそれぞれキャリアアグリゲーション場合での複数の物理層キャリアーに一対一対応してもよいし、二重接続のシナリオでの２つの基地局に対応した同じ周波数または異周波物理層キャリアーであってもよい。
【００４９】
本願を容易に理解できるようにするために、以下で、２種の方法を組み合わせて、本願の実施例のＰＤＣＰ  ＰＤＵの伝送方法を詳細的に説明する。
【００５０】
以下で、方法Ａと方法Ｂに分けるが、矛盾がない場合で、方法Ａと方法Ｂの方法を組合せまたは交換使用することができることを理解すべきである。
【００５１】
更に、本願の実施例に言及された所定の範囲または所定値はＰＤＣＰ  ＰＤＵが属するサービスに関してもよく、具体的に、属したサービスの信頼性要件に関連してよく、具体的にＰＤＣＰ  ＰＤＵが属するサービスのサービス品質（Ｑｕａｌｉｔｙ  ｏｆ  Ｓｅｒｖｉｃｅ、ＱｏＳ）レベルに関連してもよいことを理解すべきである。
【００５２】
方法Ａ
前記ネットワーク装置が前記ネットワーク装置と前記端末装置との間の複数のリンクで伝送されるアップリンクデータに対してチャネル推定を行って、第１推定値を取得し、前記各リンクの前記第１推定値を使用して、前記ＰＤＣＰ  ＰＤＵの伝送方法を確定する。
【００５３】
一実施例において、前記複数のリンクにおいて２つのリンクごとの第１推定値の差は第１所定値以下であり、且つ前記複数のリンクにおいて各リンクの第１推定値は第１所定の範囲にあり、前記伝送方法はシングルリンク伝送方法であると確定し、または、前記複数のリンクにおいて少なくとも２つのリンクの第１推定値の差が第１所定値より大きく、または前記複数のリンクにおいて少なくとも１つのリンクの第１推定値が第１所定の範囲にいない場合に、前記伝送方法はシングルリンク伝送方法であると確定する。
【００５４】
一実施例において、前記ネットワーク装置は前記ネットワーク装置と前記端末装置との間の複数のリンクが第１時間範囲内で伝送したアップリンクデータに対してチャネル推定を行って、前記第１推定値を取得し、前記第１時間範囲内で得られた前記第１推定値を利用して、前記伝送方法を確定し、前記伝送方法によって、第２時間範囲内で、前記ネットワーク装置は前記端末装置に前記ＰＤＣＰ  ＰＤＵを送信する。
【００５５】
一実施例において、該方法Ａは時分割デュプレックス（Ｔｉｍｅ  Ｄｉｖｉｓｉｏｎ  Ｄｕｐｌｅｘ、ＴＤＤ）モードに用いられることができる。
【００５６】
方法Ｂ
１つの実現方法において、前記ネットワーク装置は前記ネットワーク装置と前記端末装置との間の複数のリンクに対する前記端末装置のフィードバック情報に基づき、前記ＰＤＣＰ  ＰＤＵの伝送方法を確定する。
【００５７】
一実施例において、前記ネットワーク装置と前記端末装置との間の複数のリンクに対する前記端末装置のフィードバック情報は、
前記端末装置が前記複数のリンクにおける各リンクで、得られたチャネル状態情報、
前記端末装置が前記複数のリンクにおける各リンクで、データ復調を行った結果のフィードバック、具体的に、前記端末装置は前記複数のリンクの各リンクで独立したデータ復調を行い、且つ復調結果を報告し、主にＨＡＲＱ  肯定確認（Ａｃｋｎｏｗｌｅｄｇｅｍｅｎｔ、ＡＣＫ）メッセージと否定確認（Ｎｏｎ−Ａｃｋｎｏｗｌｅｄｇｅｍｅｎｔ  ＮＡＣＫ）メッセージであり、
前記端末装置が前記複数のリンクにおける各リンクで無線リソース管理（Ｒａｄｉｏ  Ｒｅｓｏｕｒｃｅ  Ｍａｎａｇｅｍｅｎｔ、ＲＲＭ）測定を行ったＲＲＭ測定結果、例えば、レイヤ３の移動管理のための基準信号受信パワー（Ｒｅｆｅｒｅｎｃｅ  Ｓｉｇｎａｌ  Ｒｅｃｅｉｖｉｎｇ  Ｐｏｗｅｒ、ＲＳＲＰ）または基準信号受信品質（Ｒｅｆｅｒｅｎｃｅ  Ｓｉｇｎａｌ  Ｒｅｃｅｉｖｉｎｇ  Ｑｕａｌｉｔｙ  ＲＳＲＱ）の測定であり、ここで、高レベルのＲＲＭ測定に対して、端末装置はネットワーク装置の設定情報に基づいて測定することができ、即ちネットワーク装置は端末装置がいつ測定するかを設定し、
前記端末装置が前記複数のリンクにおける各リンクで伝送される制御シグナリングに対してチャネル推定を行って得られた第２推定値、及び
前記端末装置が前記複数のリンクにおける各リンクで送信されるビームを測定して得られたビーム測定結果の中の少なくとも１種を含む。
【００５８】
一実施例において、前記フィードバック情報は前記チャネル状態情報、前記ＲＲＭ測定結果、前記第２推定値及び前記ビーム測定結果を含み、前記複数のリンクにおいて２つのリンクごとのフィードバック情報の取る値の差は第２所定値以下であり、且つ前記複数のリンクにおいて各リンクのフィードバック情報の取る値は第２所定の範囲にあり、前記伝送方法はデータコピー伝送方法であると確定し、または、前記複数のリンクにおいて少なくとも２つのリンクのフィードバック情報の取る値の差は第２所定値より大きく、または前記複数のリンクにおいて少なくとも１つのリンクのフィードバック情報の取る値は第２所定の範囲にいない場合に、前記伝送方法はシングルリンク伝送方法であると確定する。
【００５９】
例えば、前記端末装置は前記複数のリンクでそれぞれチャンネル測定を行い、ＣＱＩを生成し、且つアップリンク制御チャンネルによって前記ネットワーク装置に報告し、複数のリンクに対応したＣＱＩは相当し、且ついずれもある所定の範囲にあると、データ伝送の信頼性を向上させるように、ネットワーク装置は高レベルデータコピー伝送のトリガーを決定する。ネットワーク装置は１つの時間間隔の各リンクに対応したＣＱＩの大きさを統計し、各リンクＣＱＩの統計結果に基づき、例えばある時間間隔内でのＣＱＩを平均統計し、該ＣＱＩがある所定の範囲にあると、ネットワーク装置は高レベルデータコピー伝送をトリガーし、
一実施例において、第３時間範囲内で受信した前記ネットワーク装置と前記端末装置との間の複数のリンクに対する前記端末装置のフィードバック情報に基づき、前記ＰＤＣＰ  ＰＤＵの伝送方法を確定し、前記伝送方法によって、第４時間範囲内で、前記ネットワーク装置は前記端末装置に前記ＰＤＣＰ  ＰＤＵを送信する。
【００６０】
一実施例において、前記ネットワーク装置と前記端末装置との間の複数のリンクに対する前記端末装置のフィードバック情報は前記端末装置が各リンクで、データ復調を行った結果のフィードバックを含み、前記復調結果のフィードバックは確認ＡＣＫメッセージまたは否定確認ＮＡＣＫメッセージを含み、前記第３時間範囲内で、前記各リンクで受信したＡＣＫメッセージの数またはＮＡＣＫメッセージの数の中の少なくとも１つに基づき、前記ＰＤＣＰ  ＰＤＵの伝送方法を確定する。
【００６１】
一実施例において、前記第３時間範囲内で、各リンクで受信したＡＣＫメッセージとＮＡＣＫメッセージの数の比、または前記複数のリンクにおける任意の２つのリンクのＡＣＫメッセージの数とＮＡＣＫメッセージの数の比の差の中の少なくとも１つに基づき、前記ＰＤＣＰ  ＰＤＵの伝送方法を確定する。
【００６２】
例えば、前記端末装置がリンクで復調したデータに対してＨＡＲＱフィードバックを行い、前記ネットワーク装置はそれぞれ各リンクで受信したＡＣＫメッセージの数とＮＡＣＫメッセージの数を統計する。あるタイムウィンドウ（例えば１００ｍｓ）の統計値に基づき次のウィンドウでＰＤＣＰ  ＰＤＵを送信する伝送方法を確定する。
【００６３】
ここで、確定した伝送方法は次の時間範囲内のある属性を有するＰＤＣＰ  ＰＤＵの送信、例えば、一貫した信頼性要件を持つＰＤＣＰ  ＰＤＵの送信に用いられることができる。
【００６４】
以下でいくつかの実現方法を組み合わせ、如何に各リンクで受信されたＡＣＫメッセージの数とＮＡＣＫメッセージの数の比、または任意の２つのリンクのＡＣＫメッセージの数とＮＡＣＫメッセージの数の比の差の中の少なくとも１つに基づき、ＰＤＣＰ  ＰＤＵの伝送方法を確定するかを説明するが、本願の実施例に言及されたのはＡＣＫメッセージの数とＮＡＣＫメッセージの数の比であるが、それと類似の手段はいずれも本願の実施例の保護範囲にあり、例えば、ＡＣＫメッセージの数と総数（ＮＡＣＫメッセージとＡＣＫメッセージの数の和）の比であることを理解すべきである。
【００６５】
１つの実現方法において、前記複数のリンクにおいて各リンクのＡＣＫメッセージの数とＮＡＣＫメッセージの数との比は第３所定の範囲にあり、且つ前記複数のリンクにおいて任意の２つのリンクのＡＣＫメッセージの数とＮＡＣＫメッセージ数の比の差は第３所定値以下である場合に、前記ＰＤＣＰ  ＰＤＵの伝送方法はデータコピー伝送方法であると確定する。
【００６６】
例えば、複数のリンクにおけるそれぞれでＡＣＫの数とＮＡＣＫの数の比は相当し、且ついずれも１つの所定の範囲、例えばＡＣＫメッセージの数／（ＡＣＫメッセージの数＋ＮＡＣＫメッセージの数）＝［３０％、  ８０％］にあると、前記ネットワーク装置は次の統計ウィンドウで高レベルデータコピー伝送を行うことを決定する。
【００６７】
１つの実現方法において、前記複数のリンクにおいて第１リンクが存在する場合に、前記ＰＤＣＰ  ＰＤＵの伝送方法はシングルリンク伝送方法であると確定し、ここで、前記第１リンクのＡＣＫメッセージの数とＮＡＣＫメッセージの数の比は前記複数のリンクにおけるその他のいずれかのリンクのＡＣＫメッセージの数とＮＡＣＫメッセージの数の比より高く、且つ前記第１リンクのＡＣＫメッセージ数とＮＡＣＫメッセージの数の比と複数のリンクにおけるその他のいずれかのリンクのＡＣＫメッセージの数とＮＡＣＫメッセージの数の比との差は第４所定値以上である。
【００６８】
一実施例において、前記第１リンクを使用して、前記ネットワーク装置は前記端末装置に前記ＰＤＣＰ  ＰＤＵを送信する。
【００６９】
例えば、ある複数のリンクで１つのリンクのＡＣＫメッセージの数とＮＡＣＫメッセージの数の比が他のリンクのＡＣＫの数とＮＡＣＫの数の比より高く、且つ比の差がある閾値より大きく、例えば第１リンクでのＡＣＫメッセージの数量／（ＡＣＫメッセージの数量＋ＮＡＣＫメッセージの数量）＝９０％、第２リンクでのＡＣＫメッセージの数／（ＡＣＫメッセージの数＋ＮＡＣＫメッセージの数）＝５０％、比の差が４０％であり、ある閾値、例えば２０％を超えると、前記ネットワーク装置は次の統計ウィンドウで前記第１リンクでシングルリンク伝送を行うことを決定する。
【００７０】
１つの実現方法において、前記複数のリンクにおいて各リンクのＡＣＫメッセージの数とＮＡＣＫメッセージの数の比が第５所定値以上であり、且つ前記複数のリンクにおいて任意の２つのリンクのＡＣＫメッセージの数とＮＡＣＫメッセージの数の比の差が第６所定値以下である場合に、前記ＰＤＣＰ  ＰＤＵの伝送方法はシングルリンク伝送方法であると確定する。
【００７１】
一実施例において、前記複数のリンクにおける第２リンクを使用して、前記ネットワーク装置は前記端末装置に前記ＰＤＣＰ  ＰＤＵを送信し、前記第２リンクは前記複数のリンクにおけるＡＣＫメッセージの数とＮＡＣＫメッセージの数の比が最も高いリンクである。
【００７２】
例えば、前記複数のリンクのＡＣＫの数および／ＮＡＣＫの数の比はいずれも相当し、且つ１つのより高い範囲にあり、例えば７０％を超えると、前記ネットワーク装置は比が最も高いリンクを選択してシングルリンクデータ伝送を行い、その他のリンクは現在に選択されたリンクと異なったデータを伝送することに用いられることができる。
【００７３】
１つの実現方法において、前記複数のリンクにおける各リンクのＡＣＫメッセージの数とＮＡＣＫメッセージの数の比が第７所定値以下である場合に、前記ＰＤＣＰ  ＰＤＵの伝送方法はシングルリンク伝送方法またはデータコピー伝送方法であると確定する。
【００７４】
例えば、前記複数のリンクのＡＣＫメッセージの数とＮＡＣＫの数の比はいずれも相当し、且つ１つの低い範囲にあり、例えば３０％より低いと、前記ネットワーク装置は高レベルデータコピー伝送方法またはシングルリンク伝送方法を選択することができる。
【００７５】
一実施例において、前記ＰＤＣＰ  ＰＤＵの伝送方法に基づき、前記複数のリンクから少なくとも１つのリンクを選択し、前記少なくとも１つのリンクに対してリンク適応を行い、リンク適応の後の前記少なくとも１つのリンクを使用して、前記ＰＤＣＰ  ＰＤＵを送信する。
【００７６】
具体的に、前記複数のリンクにおける各リンクのＡＣＫメッセージの数とＮＡＣＫメッセージの数の比が第７所定値以下である場合に、ネットワーク装置はシングルリンク伝送またはデータコピーの伝送方法によってＰＤＣＰ  ＰＤＵを送信することができ、ここで、各リンクのＡＣＫメッセージの数とＮＡＣＫメッセージの数の比がいずれも第７所定値より小さいため、各リンクのチャンネル品質がいずれも悪いことを示すため、選択されたリンクに対してリンク適応することができ、即ち低い変調コーディング方法を使用して、選択されたリンクでＰＤＣＰ  ＰＤＵを送信する。
【００７７】
一実施例において、本願の実施例において、上記のＡＣＫの数とＮＡＣＫの数に基づいてＰＤＣＰ  ＰＤＵの伝送方法を判断する判断方法はその他のフィードバック情報にも適用し、簡潔のため、ここで繰り返して説明しない。
【００７８】
一実施例において、本願の実施例において、端末装置がその中の一部のリンクを選択して該ＰＤＣＰ  ＰＤＵを伝送する場合に、その他のリンクを使用して別のＰＤＣＰ  ＰＤＵを伝送することができる。
【００７９】
一実施例において、本願の実施例において、ＰＤＣＰ  ＰＤＵの伝送方法を確定した後に、ＰＤＣＰ  ＰＤＵの伝送方法に基づき、複数のリンクから該ＰＤＣＰ  ＰＤＵを送信するためのリンクを選択することができ、データコピー伝送の方法であると、複数から全部または一部の複数のリンクを選択してＰＤＣＰ  ＰＤＵの伝送を行うことができ、シングルリンク伝送方法であると、複数のリンクから１つのリンクを選択してＰＤＣＰ  ＰＤＵ伝送を行うことができる。
【００８０】
一実施例において、複数のリンクのリンク品質に基づき、複数のリンクから、ＰＤＣＰ  ＰＤＵを送信するためのリンクを選択することができる。
【００８１】
例えば、各リンクにおける第１推定値、第２推定値、ＲＲＭ測定結果、及びチャネル状態情報、データに対して復調した結果及びビーム測定結果の中の少なくとも１つに基づき、前記複数のリンクから、ＰＤＣＰ  ＰＤＵを送信するためのリンクを選択することができる。
【００８２】
図４は本願の実施例によるネットワーク装置３００を示す模式的なブロック図である。ここで、前記ネットワーク装置３００は処理ユニット３１０及び送受信ユニット３２０を備え、
前記処理ユニット３１０は、ＰＤＣＰ  ＰＤＵの伝送方法を確定することに用いられ、前記伝送方法はデータコピー伝送方法またはシングルリンク伝送方法を含み、
前記送受信ユニット３２０は、前記ＰＤＣＰ  ＰＤＵの伝送方法に基づき、前記端末装置に前記ＰＤＣＰ  ＰＤＵを送信することに用いられる。
【００８３】
一実施例において、前記処理ユニット３１０は更に、
前記ネットワーク装置と前記端末装置との間の複数のリンクに対する前記端末装置のフィードバック情報に基づき、前記ＰＤＣＰ  ＰＤＵの伝送方法を確定することに用いられる。
【００８４】
一実施例において、前記処理ユニット３１０は更に、
前記ネットワーク装置と前記端末装置との間の複数のリンクで伝送されるアップリンクデータに対してチャネル推定を行って、第１推定値を取得すること、及び
前記各リンクの前記第１推定値を使用して、前記ＰＤＣＰ  ＰＤＵの伝送方法を確定することに用いられる。
【００８５】
一実施例において、前記処理ユニット３１０は更に、
前記複数のリンクにおいて２つのリンクごとの第１推定値の差は第１所定値以下であり、且つ前記複数のリンクにおいて各リンクの第１推定値は第１所定の範囲にあり、前記伝送方法はデータコピー伝送方法であると確定すること、または、
前記複数のリンクにおいて少なくとも２つのリンクの第１推定値の差が第１所定値より大きく、または前記複数のリンクにおいて少なくとも１つのリンクの第１推定値が第１所定の範囲にいない場合に、前記伝送方法はシングルリンク伝送方法であると確定することに用いられる。
【００８６】
一実施例において、前記処理ユニット３１０は更に、
前記ネットワーク装置と前記端末装置との間の複数のリンクが第１時間範囲内で伝送されるアップリンクデータに対してチャネル推定を行って、前記第１推定値を取得すること、
前記第１時間範囲内で得られた前記第１推定値を利用して、前記伝送方法を確定すること、及び
前記伝送方法によって、第２時間範囲で、前記端末装置に前記ＰＤＣＰ  ＰＤＵを送信することに用いられる。
【００８７】
一実施例において、前記ネットワーク装置と前記端末装置との間の複数のリンクに対する前記端末装置のフィードバック情報は、
前記端末装置が前記複数のリンクにおける各リンクで、得られたチャネル状態情報、
前記端末装置が前記複数のリンクにおける各リンクで、データ復調を行った結果のフィードバック、
前記端末装置が前記複数のリンクにおける各リンクで無線リソース管理ＲＲＭ測定を行ったＲＲＭ測定結果、
前記端末装置が前記複数のリンクにおける各リンクで伝送される制御シグナリングに対してチャネル推定を行って得られた第２推定値、
前記端末装置が前記複数のリンクにおける各リンクで送信したビームを測定して得られたビーム測定結果の中の少なくとも１種を含む。
【００８８】
一実施例において、前記フィードバック情報は前記チャネル状態情報、前記ＲＲＭ測定結果、前記第２推定値及び前記ビーム測定結果を含み、
前記処理ユニット３１０は更に、
前記複数のリンクにおいて２つのリンクごとのフィードバック情報の取る値の差は第２所定値以下であり、且つ前記複数のリンクにおいて各リンクのフィードバック情報の取る値は第２所定の範囲にあり、前記伝送方法はデータコピー伝送方法であると確定すること、または、
前記複数のリンクにおいて少なくとも２つのリンクのフィードバック情報の取る値の差は第２所定値より大きく、または前記複数のリンクにおいて少なくとも１つのリンクのフィードバック情報の取る値は第２所定の範囲にいない場合に、前記伝送方法はシングルリンク伝送方法であると確定することに用いられる。
【００８９】
一実施例において、前記処理ユニット３１０は更に、
第３時間範囲内で受信した前記ネットワーク装置と前記端末装置との間の複数のリンクに対する前記端末装置のフィードバック情報に基づき、前記ＰＤＣＰ  ＰＤＵの伝送方法を確定すること、及び
前記伝送方法によって、第４時間範囲内で、前記端末装置に前記ＰＤＣＰ  ＰＤＵを送信することに用いられる。
【００９０】
一実施例において、前記ネットワーク装置と前記端末装置との間の複数のリンクに対する前記端末装置のフィードバック情報は前記端末装置が各リンクで、データ復調を行った結果のフィードバックを含み、前記復調結果のフィードバックは確認ＡＣＫメッセージまたは否定確認ＮＡＣＫメッセージを含み、
前記処理ユニット３１０は更に、
前記第３時間範囲内で、前記各リンクで受信したＡＣＫメッセージの数またはＮＡＣＫメッセージの数の中の少なくとも１つに基づき、前記ＰＤＣＰ  ＰＤＵの伝送方法を確定することに用いられる。
【００９１】
一実施例において、前記処理ユニット３１０は更に、
前記第３時間範囲内で、各リンクで受信したＡＣＫメッセージとＮＡＣＫメッセージ数の比、または任意の２つのリンクのＡＣＫメッセージの数とＮＡＣＫメッセージの数の比の差の中の少なくとも１つに基づき、前記複数のリンクから、前記ＰＤＣＰ  ＰＤＵの伝送方法を確定することに用いられる。
【００９２】
一実施例において、前記処理ユニット３１０は更に、
前記複数のリンクにおいて各リンクのＡＣＫメッセージの数とＮＡＣＫメッセージの数との比は第３所定の範囲にあり、且つ前記複数のリンクにおいて任意の２つのリンクのＡＣＫメッセージの数とＮＡＣＫメッセージの数の比の差は第３所定値以下である場合に、前記ＰＤＣＰ  ＰＤＵの伝送方法はデータコピー伝送方法であると確定することに用いられる。
【００９３】
一実施例において、前記処理ユニット３１０は更に、
前記複数のリンクにおいて第１リンクが存在する場合に、前記ＰＤＣＰ  ＰＤＵの伝送方法はシングルリンク伝送方法であると確定することに用いられ、ここで、前記第１リンクのＡＣＫメッセージの数とＮＡＣＫメッセージの数の比は前記複数のリンクにおけるその他のいずれかのリンクのＡＣＫメッセージの数とＮＡＣＫメッセージの数の比より高く、且つ前記第１リンクのＡＣＫメッセージの数とＮＡＣＫメッセージの数の比と複数のリンクにおけるその他のいずれかのリンクのＡＣＫメッセージの数とＮＡＣＫメッセージの数の比との差は第４所定値以上である。
【００９４】
一実施例において、前記送受信ユニット３２０は更に、
前記第１リンクを使用して、前記端末装置に前記ＰＤＣＰ  ＰＤＵを送信することに用いられる。
【００９５】
一実施例において、前記処理ユニット３１０は更に、
前記複数のリンクにおいて各リンクのＡＣＫメッセージの数とＮＡＣＫメッセージの数の比は第５所定値以上であり、且つ前記複数のリンクにおいて任意の２つのリンクのＡＣＫメッセージの数とＮＡＣＫメッセージの数の比の差は第６所定値以下である場合に、前記ＰＤＣＰ  ＰＤＵの伝送方法はシングルリンク伝送方法であると確定することに用いられる。
【００９６】
一実施例において、前記送受信ユニット３２０は更に、
前記複数のリンクにおける第２リンクを使用して、前記端末装置に前記ＰＤＣＰ  ＰＤＵを送信することに用いられ、ここで、前記第２リンクは前記複数のリンクにおけるＡＣＫメッセージの数とＮＡＣＫメッセージの数の比が最も高いリンクである。
【００９７】
一実施例において、前記処理ユニット３１０は更に、
前記複数のリンクにおける各リンクのＡＣＫメッセージの数とＮＡＣＫメッセージの数の比は第７所定値以下である場合に、前記ＰＤＣＰ  ＰＤＵの伝送方法はシングルリンク伝送方法またはデータコピー伝送方法であると確定することに用いられる。
【００９８】
一実施例において、前記送受信ユニット３２０は更に、
前記ＰＤＣＰ  ＰＤＵの伝送方法に基づき、前記複数のリンクから少なくとも１つのリンクを選択すること、
前記少なくとも１つのリンクに対してリンク適応すること、及び
リンク適応の後の前記少なくとも１つのリンクを使用して、前記ＰＤＣＰ  ＰＤＵを送信することに用いられる。
【００９９】
一実施例において、前記複数のリンクは複数のキャリアーと一対一対応し、前記複数のリンクにおける各リンクは対応したキャリアーによって信号伝送を行う。
【０１００】
該ネットワーク装置３００は方法２００におけるネットワーク装置に対応でき、方法２００におけるネットワーク装置の対応した機能を実現することができることを理解すべき、簡潔のため、ここで繰り返して説明しない。
【０１０１】
図５は本願の実施例によるシステムチップ４００の１つの模式的な構造図である。図５のシステムチップ４００は入力インターフェース４０１、出力インターフェース４０２、プロセッサー４０３とメモリ４０４を備え、前記入力インターフェース４０１、出力インターフェース４０２、プロセッサー４０３とメモリ４０４は内部通信接続回線によって接続されることができ、前記プロセッサー４０３は前記メモリ４０４におけるコードを実行することに用いられる。
【０１０２】
一実施例において、前記コードが実行される場合に、前記プロセッサー４０３は図２に示すような方法２００においてネットワーク装置により実行される方法を実現する。簡潔のため、ここで繰り返して説明しない。
【０１０３】
図６は本願の実施例による通信装置５００を示す模式的なブロック図である。図６に示すように、該通信装置５００はプロセッサー５１０とメモリ５２０を備える。ここで、該メモリ５２０にプログラムコードが記憶されることができ、該プロセッサー５１０は該メモリ５２０に記憶されたプログラムコードを実行することができる。
【０１０４】
一実施例において、図６に示すように、該通信装置５００はトランシーバー５３０を備えてよく、プロセッサー５１０はトランシーバー５３０の外部通信を制御することができる。
【０１０５】
一実施例において、該プロセッサー５１０はメモリ５２０に記憶されたログラムコードを呼び出し、図２の方法２００におけるネットワーク装置の対応した操作を実行することができ、簡潔のため、ここで繰り返して説明しない。
【０１０６】
当業者は、本文に開示された実施例に記載の各例示のユニット及びアルゴリズムステップを組み合わせて、電子ハードウェア、又はコンピュータソフトウェア及び電子ハードウェアの組み合わせで実現することができることを認識することができる。これらの機能はハードウェアで実行するかソフトウェアで実行するかは、技術案の特定の応用および設計制約によって決められる。当業者は各特定の応用に対して異なる方法で説明した機能を実現することができるが、このような実現は本願の範囲を超えると考えられない。
【０１０７】
当業者は、便利且つ簡単に説明するために、上記に記載のシステム、装置及びユニットの具体的な作業過程は、上記方法の実施例における対応過程を参照することができ、ここで繰り返して説明しないことを明らかに了解することができる。
【０１０８】
本願によるいくつかの実施例において、開示したシステム、装置及び方法は、その他の方式によって実現されることができることを理解すべきである。例えば以上のような装置実施例は単に例示的なものだけであり、例えば、前記ユニットの分割は、ロジック機能分割だけであり、実際に実現する時に別の分割形態があってもよいし、例えば、複数のユニット又は組立部品を結合してもよいし、又は別のシステムに集積してもよいし、又はいくつかの特徴を無視でき、又は実行しなくてもよい。また、表示又は検討した互いの間にカップリング、又は直接カップリング、又は通信接続はいくつかのインターフェース、装置又はユニットによる間接カップリング又は通信接続であってよく、電気的、機械的又はその形式の接続であってもよい。
【０１０９】
上記の分離部材として説明したユニットは物理的に分離してもよいし、又は分離しなくてもよく、ユニットとして表示する部材は物理ユニットであってもよいし、又は物理ユニットではなくてもよく、即ち１つの場所に位置してもよいし、複数のネットワークユニットに分布されてもよい。実際の需要に応じてその中の一部又は全部のユニットを選択して本実施例手段の目的を実現することができる。
【０１１０】
また、本願の各実施例における各機能ユニットは１つの処理ユニットに集積されてもよいし、各ユニットは単独に物理的に存在してもよいし、２つ又は２つ以上のユニットは１つのユニットに集積されてもよい。
【０１１１】
前記機能はソフトウェア機能ユニットの形式で実現するとともに独立した製品として販売又は使用される場合、1つのコンピュータ読み取り可能な記憶媒体に記憶することができる。このような理解に基づいて、本発明の実施例の技術的解決手段は本質的或いは従来技術に貢献する部分は或いは該技術的解決手段の部分はソフトウェア製品の形式で表現することができ、該コンピュータソフトウェア製品が１つの記憶媒体に記憶され、一台のコンピュータ装置（パーソナルコンピュータ、サーバー、或いはネットワーク装置等である）が本発明の各実施例に記載の方法の全部又は一部のスデップを実行するための若干の指令を含む。前述の記憶媒体は、Ｕディスク、モバイルハードディスク、読み出し専用記憶装置（Ｒｅａｄ−Ｏｎｌｙ  Ｍｅｍｏｒｙ、「ＲＯＭ」と略称）、ランダムアクセスメモリ（Ｒａｎｄｏｍ  Ａｃｃｅｓｓ  Ｍｅｍｏｒｙ、「ＲＡＭ」と略称）、ディスク或いはＣＤ等の様々なプログラムコードを記憶できる媒体を含む。
【０１１２】
以上のように、単に本願の具体的な実施形態であるが、本願の保護範囲はこれに限定されず、当業者は誰でも、本願に開示された技術範囲において、変化又は置換を考えやすく、それらはすべて本願の保護範囲に含まれる。このため、本願の保護範囲は前記請求の範囲の保護範囲を基準とすべきである。
【手続補正２】
【補正対象書類名】特許請求の範囲
【補正対象項目名】全文
【補正方法】変更
【補正の内容】
【特許請求の範囲】
【請求項１】
無線通信方法であって、
ネットワーク装置がパケットデータコンバージェンスレイヤプロトコルＰＤＣＰプロトコルデータユニットＰＤＵの伝送方法を確定し、前記伝送方法はデータコピー伝送方法またはシングルリンク伝送方法を含むことと、
前記ＰＤＣＰ  ＰＤＵの伝送方法に基づき、前記ネットワーク装置が端末装置へ前記ＰＤＣＰ  ＰＤＵを送信することと、を含むことを特徴とする無線通信方法。
【請求項２】
前記ネットワーク装置がＰＤＣＰ  ＰＤＵの伝送方法を確定することは、
前記ネットワーク装置が前記ネットワーク装置と前記端末装置との間の複数のリンクに対する前記端末装置のフィードバック情報に基づき、前記ＰＤＣＰ  ＰＤＵの伝送方法を確定することを含むことを特徴とする請求項１に記載の方法。
【請求項３】
前記ネットワーク装置がＰＤＣＰ  ＰＤＵの伝送方法を確定することは、
前記ネットワーク装置が前記ネットワーク装置と前記端末装置との間の複数のリンクで伝送されるアップリンクデータに対してチャネル推定を行って、第１推定値を取得すること、及び
前記各リンクの前記第１推定値を使用して、前記ＰＤＣＰ  ＰＤＵの伝送方法を確定することを含むことを特徴とする請求項１に記載の方法。
【請求項４】
前記各リンクの前記第１推定値を使用して、前記ＰＤＣＰ  ＰＤＵの伝送方法を確定する前記ことは、
前記複数のリンクにおいて２つのリンクごとの第１推定値の差は第１所定値以下であり、且つ前記複数のリンクにおける各リンクの第１推定値が第１所定の範囲にある場合に、前記伝送方法はデータコピー伝送方法であると確定すること、または、
前記複数のリンクにおいて少なくとも２つのリンクの第１推定値の差が第１所定値より大きく、または前記複数のリンクにおいて少なくとも１つのリンクの第１推定値が第１所定の範囲にいない場合に、前記伝送方法はシングルリンク伝送方法であると確定することを含むことを特徴とする請求項３に記載の方法。
【請求項５】
前記ネットワーク装置がＰＤＣＰ  ＰＤＵの伝送方法を確定することは、
前記ネットワーク装置が前記ネットワーク装置と前記端末装置との間の複数のリンクが第１時間範囲内で伝送したアップリンクデータに対してチャネル推定を行って、前記第１推定値を取得すること、及び
前記第１時間範囲内で得られた前記第１推定値を利用して、前記伝送方法を確定することを含み、
前記ＰＤＣＰ  ＰＤＵの伝送方法に基づき、前記ネットワーク装置が端末装置へ  前記ＰＤＣＰ  ＰＤＵを送信する前記ことは、
前記伝送方法によって、第２時間範囲内で、前記ネットワーク装置が前記端末装置に前記ＰＤＣＰ  ＰＤＵを送信することを含むことを特徴とする請求項３または４に記載の方法。
【請求項６】
前記ネットワーク装置と前記端末装置との間の複数のリンクに対する前記端末装置のフィードバック情報は、
前記端末装置が前記複数のリンクにおける各リンクで、得られたチャネル状態情報、
前記端末装置が前記複数のリンクにおける各リンクで、データ復調を行った結果のフィードバック、
前記端末装置が前記複数のリンクにおける各リンクで無線リソース管理ＲＲＭ測定を行ったＲＲＭ測定結果、
前記端末装置が前記複数のリンクにおける各リンクで伝送した制御シグナリングに対してチャネル推定を行って得られた第２推定値、及び
前記端末装置が前記複数のリンクにおける各リンクで送信したビームを測定して得られたビーム測定結果の中の少なくとも１種を含むことを特徴とする請求項２に記載の方法。
【請求項７】
前記フィードバック情報は前記チャネル状態情報、前記ＲＲＭ測定結果、前記第２推定値及び前記ビーム測定結果を含み、
前記ネットワーク装置が前記ネットワーク装置と前記端末装置との間の複数のリンクに対する前記端末装置のフィードバック情報に基づき、前記ＰＤＣＰ  ＰＤＵの伝送方法を確定することは、
前記複数のリンクにおいて２つのリンクごとのフィードバック情報の取る値の差は第２所定値以下であり且つ前記複数のリンクにおける各リンクのフィードバック情報の取る値は第２所定の範囲にある場合に、前記伝送方法はデータコピー伝送方法であると確定すること、または、
前記複数のリンクにおいて少なくとも２つのリンクのフィードバック情報の取る値の差は第２所定値より大きく、または前記複数のリンクにおいて少なくとも１つのリンクのフィードバック情報の取る値は第２所定の範囲にいない場合に、前記伝送方法はシングルリンク伝送方法であると確定することを含むことを特徴とする請求項６に記載の方法。
【請求項８】
前記ネットワーク装置が前記ネットワーク装置と前記端末装置との間の複数のリンクに対する前記端末装置のフィードバック情報に基づき、前記ＰＤＣＰ  ＰＤＵの伝送方法を確定することは、
第３時間範囲内で受信した前記ネットワーク装置と前記端末装置との間の複数のリンクに対する前記端末装置のフィードバック情報に基づき、前記ＰＤＣＰ  ＰＤＵの伝送方法を確定することを含み、
前記ＰＤＣＰ  ＰＤＵの伝送方法に基づき、前記ネットワーク装置が端末装置へ前記ＰＤＣＰ  ＰＤＵを送信することは、
前記伝送方法によって、第４時間範囲内で、前記ネットワーク装置が前記端末装置に前記ＰＤＣＰ  ＰＤＵを送信することを含むことを特徴とする請求項２または７に記載の方法。
【請求項９】
前記ネットワーク装置と前記端末装置との間の複数のリンクに対する前記端末装置のフィードバック情報は前記端末装置が各リンクで、データ復調を行った結果のフィードバックを含み、前記復調結果のフィードバックは確認ＡＣＫメッセージまたは否定確認ＮＡＣＫメッセージを含み、
前記ネットワーク装置が前記ネットワーク装置と前記端末装置との間の複数のリンクに対する前記端末装置のフィードバック情報に基づき、前記ＰＤＣＰ  ＰＤＵの伝送方法を確定することは、
前記第３時間範囲内で、前記各リンクで受信したＡＣＫメッセージの数またはＮＡＣＫメッセージの数の中の少なくとも１つに基づき、前記ＰＤＣＰ  ＰＤＵの伝送方法を確定することを含むことを特徴とする請求項８に記載の方法。
【請求項１０】
前記第３時間範囲内で、前記各リンクで受信したＡＣＫメッセージの数またはＮＡＣＫメッセージの数の中の少なくとも１つに基づき、前記ＰＤＣＰ  ＰＤＵの伝送方法を確定する前記ことは、
前記第３時間範囲内で、各リンクで受信したＡＣＫメッセージとＮＡＣＫメッセージの数の比、または任意の２つのリンクのＡＣＫメッセージの数とＮＡＣＫメッセージの数の比の差の中の少なくとも１つに基づき、前記ＰＤＣＰ  ＰＤＵの伝送方法を確定することを含むことを特徴とする請求項９に記載の方法。
【請求項１１】
前記第３時間範囲内で、各リンクで受信したＡＣＫメッセージとＮＡＣＫメッセージの数の比、または前記複数のリンクにおける任意の２つのリンクのＡＣＫメッセージの数とＮＡＣＫメッセージの数の比の差の中の少なくとも１つに基づき、前記ＰＤＣＰ  ＰＤＵの伝送方法を確定することは、
前記複数のリンクにおいて各リンクのＡＣＫメッセージの数とＮＡＣＫメッセージの数との比は第３所定の範囲にあり、且つ前記複数のリンクにおいて任意の２つのリンクのＡＣＫメッセージの数とＮＡＣＫメッセージの数の比の差は第３所定値以下である場合に、前記ＰＤＣＰ  ＰＤＵの伝送方法はデータコピー伝送方法であると確定することを含むことを特徴とする請求項１０に記載の方法。
【請求項１２】
ネットワーク装置であって、処理ユニット及び送受信ユニットを備え、
前記処理ユニットは、パケットデータコンバージェンスレイヤプロトコルＰＤＣＰプロトコルデータユニットＰＤＵの伝送方法を確定することに用いられ、前記伝送方法はデータコピー伝送方法またはシングルリンク伝送方法を含み、
前記送受信ユニットは、前記ＰＤＣＰ  ＰＤＵの伝送方法に基づき、前記端末装置に前記ＰＤＣＰ  ＰＤＵを送信することに用いられることを特徴とするネットワーク装置。
【請求項１３】
前記処理ユニットは更に、
前記ネットワーク装置と前記端末装置との間の複数のリンクに対する前記端末装置のフィードバック情報に基づき、前記ＰＤＣＰ  ＰＤＵの伝送方法を確定することに用いられることを特徴とする請求項１２に記載のネットワーク装置。
【請求項１４】
前記処理ユニットは更に、
前記ネットワーク装置と前記端末装置との間の複数のリンクで伝送されるアップリンクデータに対してチャネル推定を行って、第１推定値を取得すること、及び、
前記各リンクの前記第１推定値を使用して、前記ＰＤＣＰ  ＰＤＵの伝送方法を確定することことに用いられることを特徴とする請求項１２に記載のネットワーク装置。
【請求項１５】
前記処理ユニットは更に、
前記複数のリンクにおいて２つのリンクごとの第１推定値の差は第１所定値以下であり、且つ前記複数のリンクにおいて各リンクの第１推定値は第１所定の範囲にあり、前記伝送方法はデータコピー伝送方法であると確定すること、または、
前記複数のリンクにおいて少なくとも２つのリンクの第１推定値の差が第１所定値より大きく、または前記複数のリンクにおいて少なくとも１つのリンクの第１推定値が第１所定の範囲にいない場合に、前記伝送方法はシングルリンク伝送方法であると確定することに用いられることを特徴とする請求項１４に記載のネットワーク装置。
【請求項１６】
前記処理ユニットは更に、
前記ネットワーク装置と前記端末装置との間の複数のリンクが第１時間範囲内で伝送したアップリンクデータに対してチャネル推定を行って、前記第１推定値を取得すること、
前記第１時間範囲内で得られた前記第１推定値を利用して、前記伝送方法を確定すること、及び
前記伝送方法によって、第２時間範囲内で、前記端末装置に前記ＰＤＣＰ  ＰＤＵを送信することに用いられることを特徴とする請求項１４または１５に記載のネットワーク装置。
【請求項１７】
前記ネットワーク装置と前記端末装置との間の複数のリンクに対する前記端末装置のフィードバック情報は、
前記端末装置が前記複数のリンクにおける各リンクで、得られたチャネル状態情報、
前記端末装置が前記複数のリンクにおける各リンクで、データ復調を行った結果のフィードバック、
前記端末装置が前記複数のリンクにおける各リンクで無線リソース管理ＲＲＭ測定を行ったＲＲＭ測定結果、
前記端末装置が前記複数のリンクにおける各リンクで伝送される制御シグナリングに対してチャネル推定を行なって得られた第２推定値、
前記端末装置が前記複数のリンクにおける各リンクで送信したビームを測定して得られたビーム測定結果の中の少なくとも１種を含むことを特徴とする請求項１３に記載のネットワーク装置。
【請求項１８】
前記フィードバック情報は前記チャネル状態情報、前記ＲＲＭ測定結果、前記第２推定値及び前記ビーム測定結果を含み、
前記処理ユニットは更に、
前記複数のリンクにおいて２つのリンクごとのフィードバック情報の取る値の差は第２所定値以下であり且つ前記複数のリンクにおいて各リンクのフィードバック情報の取る値は第２所定の範囲にあり、前記伝送方法はデータコピー伝送方法であると確定すること、または、
前記複数のリンクにおいて少なくとも２つのリンクのフィードバック情報の取る値の差は第２所定値より大きく、または前記複数のリンクにおいて少なくとも１つのリンクのフィードバック情報の取る値は第２所定の範囲にいない場合に、前記伝送方法はシングルリンク伝送方法であると確定することに用いられることを特徴とする請求項１７に記載のネットワーク装置。
【請求項１９】
前記処理ユニットは更に、
第３時間範囲内で受信した前記ネットワーク装置と前記端末装置との間の複数のリンクに対する前記端末装置のフィードバック情報に基づき、前記ＰＤＣＰ  ＰＤＵの伝送方法を確定すること、及び
前記伝送方法によって、第４時間範囲内で、前記端末装置に前記ＰＤＣＰ  ＰＤＵを送信することに用いられることを特徴とする請求項１３または１８に記載のネットワーク装置。
【請求項２０】
前記ネットワーク装置と前記端末装置との間の複数のリンクに対する前記端末装置のフィードバック情報は前記端末装置が各リンクで、データ復調を行った結果のフィードバックを含み、前記復調結果のフィードバックは確認ＡＣＫメッセージまたは否定確認ＮＡＣＫメッセージを含み、
前記処理ユニットは更に、
前記第３時間範囲内で、前記各リンクで受信したＡＣＫメッセージの数またはＮＡＣＫメッセージの数の中の少なくとも１つに基づき、前記ＰＤＣＰ  ＰＤＵの伝送方法を確定することに用いられることを特徴とする請求項１９に記載のネットワーク装置。
【請求項２１】
前記処理ユニットは更に、
前記第３時間範囲内で、各リンクで受信したＡＣＫメッセージとＮＡＣＫメッセージの数の比、または前記複数のリンクにおける任意の２つのリンクのＡＣＫメッセージの数とＮＡＣＫメッセージの数の比の差の中の少なくとも１つに基づき、前記ＰＤＣＰ  ＰＤＵの伝送方法を確定することに用いられることを特徴とする請求項２７に記載のネットワーク装置。
【請求項２２】
前記処理ユニットは更に、
前記複数のリンクにおいて各リンクのＡＣＫメッセージの数とＮＡＣＫメッセージの数との比は第３所定の範囲にあり、且つ前記複数のリンクにおいて任意の２つのリンクのＡＣＫメッセージの数とＮＡＣＫメッセージの数の比の差は第３所定値以下である場合に、前記ＰＤＣＰ  ＰＤＵの伝送方法はデータコピー伝送方法であると確定することに用いられることを特徴とする請求項２１に記載のネットワーク装置。
【国際調査報告】
2020515176.tif 000009
2020515176.tif 000010
2020515176.tif 000011
2020515176.tif 000012